(57)【要約】  本開示は、リソース配置方法、端末、およびネットワーク機器を提供する。本開示の実施例のリソース配置方法は、半永続的リソースのリソース配置情報を取得し、リソース配置情報は、複数の伝送キャリアの識別子情報および伝送キャリアそれぞれの識別子情報に対応するリソース割り当て情報を含むこと、および半永続的リソースのリソース配置情報に基づいて、伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することを含む。【選択図】図２
2022500950.tif 000002
【特許請求の範囲】
【請求項１】
端末に用いられるリソース配置方法であって、
半永続的リソースのリソース配置情報を取得し、前記リソース配置情報は、複数の伝送キャリアの識別子情報と、前記伝送キャリアそれぞれの識別子情報に対応するリソース割り当て情報とを含むこと、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定すること、を含むリソース配置方法。
【請求項２】
前記リソース割り当て情報は、リソース周期を含む、請求項１に記載のリソース配置方法。
【請求項３】
前記リソース割り当て情報はさらに、リソース周期それぞれにおける前記伝送キャリアの半永続的リソースの割り当て情報と、前記伝送キャリアの半永続的リソースのＨＡＲＱプロセス数との少なくとも１つを含む、請求項２に記載のリソース配置方法。
【請求項４】
前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む、請求項３に記載のリソース配置方法。
【請求項５】
前記半永続的リソースは、下りリンク半永続的スケジューリングＳＰＳリソース、上りリンク配置授権タイプ２リソース、または自律上りリンクＡＵＬリソースである、請求項３または４に記載のリソース配置方法。
【請求項６】
前記リソース割り当て情報はさらに、リソース周期それぞれにおける前記伝送キャリアの半永続的リソースの割り当て情報と、前記伝送キャリアの半永続的リソースの時間ドメインのオフセット量と、前記伝送キャリアの半永続的リソースにおける時間ドメインリソースそれぞれの占める時間ドメインの長さとの少なくとも１つを含む、請求項２に記載のリソース配置方法。
【請求項７】
前記半永続的リソースのリソース配置情報に基づいて、前記伝送キャリアがリソース周期それぞれにおいて利用可能なリソース位置情報を決定することは、
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む、請求項６に記載のリソース配置方法。
【請求項８】
前記半永続的リソースは、上りリンク配置授権タイプ１リソースである、請求項６または７に記載のリソース配置方法。
【請求項９】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、リソース割り当て短周期の少なくとも１つを含み、
前記リソース割り当て短周期は、前記リソース周期よりも時間の長さが短くなる、請求項３または６に記載のリソース配置方法。
【請求項１０】
リソース周期それぞれにおいて利用可能なＨＡＲＱプロセスが１つある場合、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定することを含む、請求項２に記載のリソース配置方法。
【請求項１１】
前記半永続的リソースは、下りリンク半永続的スケジューリングＳＰＳリソース、上りリンク配置授権タイプ１リソース、または上りリンク配置授権タイプ２リソースである、請求項１０に記載のリソース配置方法。
【請求項１２】
前記ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数の少なくとも１つを含む、請求項１０に記載のリソース配置方法。
【請求項１３】
リソース周期それぞれにいて利用可能なＨＡＲＱプロセスが複数ある場合、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数とＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定することを含む、請求項２に記載のリソース配置方法。
【請求項１４】
前記半永続的リソースは、下りリンク半永続的スケジューリングＳＰＳリソースまたは上りリンク配置授権タイプ１リソースである、請求項１３に記載のリソース配置方法。
【請求項１５】
リソース周期それぞれにいて利用可能なＨＡＲＱプロセスが複数ある場合、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、ＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定することを含む、請求項２に記載のリソース配置方法。
【請求項１６】
前記半永続的リソースは、上りリンク配置授権タイプ２リソースである、請求項１５に記載のリソース配置方法。
【請求項１７】
前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、伝送キャリアに対応するＭＡＣエンティティー識別子のうちの少なくとも１つを含む、請求項１に記載のリソース配置方法。
【請求項１８】
前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、前記参考信号は、ＳＳＢおよび／またはＣＳＩ-ＲＳを含む、請求項１７に記載のリソース配置方法。
【請求項１９】
前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む、請求項１７に記載のリソース配置方法。
【請求項２０】
ネットワーク機器に用いられるリソース配置方法であって、
半永続的リソースのリソース配置情報を送信し、前記リソース配置情報は、複数の伝送キャリアの識別子情報と、前記伝送キャリアそれぞれの識別子情報に対応するリソース割り当て情報とを含む、リソース配置方法。
【請求項２１】
前記リソース割り当て情報は、リソース周期を含む、請求項２０に記載のリソース配置方法。
【請求項２２】
前記リソース割り当て情報はさらに、リソース周期それぞれにおける前記伝送キャリアの半永続的リソースの割り当て情報と、前記伝送キャリアの半永続的リソースのＨＡＲＱプロセス数との少なくとも１つを含む、請求項２１に記載のリソース配置方法。
【請求項２３】
前記半永続的リソースは、下りリンク半永続的スケジューリングＳＰＳリソース、上りリンク配置授権タイプ２リソース、または自律上りリンクＡＵＬリソースである、請求項２２に記載のリソース配置方法。
【請求項２４】
前記リソース割り当て情報はさらに、リソース周期それぞれにおける前記伝送キャリアの半永続的リソースの割り当て情報と、前記伝送キャリアの半永続的リソースの時間ドメインのオフセット量と、前記伝送キャリアの半永続的リソースにおける時間ドメインリソースそれぞれの占める時間ドメインの長さとの少なくとも１つを含む、請求項２１に記載のリソース配置方法。
【請求項２５】
前記半永続的リソースは、上りリンク配置授権タイプ１リソースである、請求項２４に記載のリソース配置方法。
【請求項２６】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、リソース割り当て短周期の少なくとも１つを含み、
前記リソース割り当て短周期は、前記リソース周期よりも時間の長さが短くなる、請求項２２または２４に記載のリソース配置方法。
【請求項２７】
前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、伝送キャリアに対応するＭＡＣエンティティー識別子のうちの少なくとも１つを含む、請求項２０に記載のリソース配置方法。
【請求項２８】
前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、前記参考信号は、ＳＳＢおよび／またはＣＳＩ-ＲＳを含む、請求項２７に記載のリソース配置方法。
【請求項２９】
前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む、請求項２７に記載のリソース配置方法。
【請求項３０】
半永続的リソースのリソース配置情報を取得するためのものであり、前記リソース配置情報は、複数の伝送キャリアの識別子情報と、前記伝送キャリアそれぞれの識別子情報に対応するリソース割り当て情報とを含む取得モジュール、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定するための決定モジュールを含む、端末。
【請求項３１】
前記リソース割り当て情報は、リソース周期を含む、請求項３０に記載の端末。
【請求項３２】
前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む、請求項３１に記載の端末。
【請求項３３】
前記決定モジュールは、
ネットワーク機器から送信されたアクティブ化シグナリングを受信した場合、前記アクティブ化シグナリングに基づいて半永続的リソースの開始位置を決定し、前記リソース配置情報および前記半永続的リソースの開始位置に基づいて、前記伝送キャリアがリソース周期それぞれにおいて開始で利用可能なリソース位置情報を決定するために用いられ、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定するために用いられる、請求項３２に記載の端末。
【請求項３４】
前記リソース割り当て情報はさらに、リソース周期それぞれにおける前記伝送キャリアの半永続的リソースの割り当て情報と、前記伝送キャリアの半永続的リソースの時間ドメインのオフセット量と、前記伝送キャリアの半永続的リソースにおける時間ドメインリソースそれぞれの占める時間ドメインの長さとの少なくとも１つを含む、請求項３１に記載の端末。
【請求項３５】
前記決定モジュールは、
前記半永続的リソースのリソース配置情報に基づいて、前記伝送キャリアがリソース周期それぞれにおいて開始で利用可能なリソース位置情報を決定するために用いられ、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定するために用いられる、請求項３４に記載の端末。
【請求項３６】
リソース周期それぞれにおいて利用可能なＨＡＲＱプロセスが１つある場合、前記決定モジュールは、
異なる伝送キャリアが異なるＨＡＲＱエンティティーに対応する場合、リソース周期、現在のタイムスロット番号、システムフレームあたりのタイムスロット数、および半永続的リソースのＨＡＲＱプロセス数に基づいて、前記伝送キャリアそれぞれがリソース周期それぞれにおいて利用可能なＨＡＲＱプロセス番号を決定するための第１の決定サブモジュール、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定する第２の決定サブモジュールを含む、請求項３１に記載の端末。
【請求項３７】
リソース周期それぞれにおいて利用可能なＨＡＲＱプロセスが複数ある場合、前記決定モジュールは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第３の決定サブモジュール、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数、およびＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第４の決定サブモジュールを含む、請求項３１に記載の端末。
【請求項３８】
リソース周期それぞれにおいて利用可能なＨＡＲＱプロセスが複数ある場合、前記決定モジュールは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第５の決定サブモジュール、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数，リソース周期、半永続的リソースのＨＡＲＱプロセス数、およびＨＡＲＱプロセス識別子のオフセット量ＨＡＲＱに基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第６の決定サブモジュールを含む、請求項３１に記載の端末。
【請求項３９】
メモリ、プロセッサ、およびメモリに記憶され、プロセッサ上で実行できるコンピュータプログラムを含み、前記コンピュータプログラムが前記プロセッサによって実行されるとき、請求項１から１９のいずれか一項に記載のリソース配置方法のステップが実現される、端末。
【請求項４０】
半永続的リソースのリソース配置情報を送信するためのものであり、前記リソース配置情報は、複数の伝送キャリアの識別子情報と、前記伝送キャリアそれぞれの識別子情報に対応するリソース割り当て情報を含む送信モジュールを具備する、ネットワーク機器。
【請求項４１】
前記リソース割り当て情報は、リソース周期を含む、請求項４０に記載のネットワーク機器。
【請求項４２】
リソース割り当て情報は、さらに、リソース周期それぞれにおける前記伝送キャリアの半永続的リソースの割り当て情報と、前記伝送キャリアの半永続的リソースのＨＡＲＱプロセス数の少なくとも１つを含む、請求項４１に記載のネットワーク機器。
【請求項４３】
前記リソース割り当て情報は、さらに、リソース周期それぞれにおける前記伝送キャリアの半永続的リソースの割り当て情報と、前記伝送キャリアの半永続的リソースの時間ドメインのオフセット量と、前記伝送キャリアの半永続的リソースにおける時間ドメインリソースそれぞれの占める時間ドメインの長さとの少なくとも１つを含む、請求項４１に記載のネットワーク機器。
【請求項４４】
メモリ、プロセッサ、およびメモリに記憶され、プロセッサ上で実行できるコンピュータプログラムを含み、前記コンピュータプログラムが前記プロセッサによって実行されるとき、請求項２０から２９のいずれか一項に記載のリソース配置方法のステップが実現される、ネットワーク機器。
【請求項４５】
コンピュータプログラムが記憶され、前記コンピュータプログラムがプロセッサによって実行されるとき、請求項１から１９のいずれか一項に記載のリソース配置方法のステップまたは請求項２０から２９のいずれか一項に記載のリソース配置方法のステップが実現される、コンピュータ可読記憶媒体。
【発明の詳細な説明】
【技術分野】
【０００１】
（関連出願の相互参照）
この出願は、２０１８年９月２１日に中国で提出された中国特許出願Ｎｏ．２０１８１１１１０７４４．３を基礎として、この出願から優先の利益を享受する。同出願の内容の全ては、ここに参照として取り込まれる。
【０００２】
本開示は、通信アプリケーションの技術分野、特に、リソース配置方法、端末、およびネットワーク機器に関する。
【背景技術】
【０００３】
第５世代（５  Ｇｅｎｅｒａｔｉｏｎ、５Ｇ）移動通信システムにおいては、２０Ｇｂｐｓの下りリンク伝送レートと１０Ｇｂｐｓの上りリンク伝送レートの目標を達成するために、高周波通信と大規模のアンテナ技術が導入されることになる。高周波通信では、より広いシステム帯域幅とより小さなアンテナサイズが提供されて、基地局とＵＥ（ユーザー端末）への大規模のアンテナの展開により有利になる。基地局側でのデータ送受信にマルチビーム（Ｍｕｌｔｉ−ｂｅａｍ）またはマルチ送受信ポイント（Ｍｕｌｔｉ−ＴＲＰ  Ｔｒａｎｓｍｉｓｉｓｏｎ  Ｐｏｉｎｔ）を使用し、ＵＥ側でのマルチビームまたはマルチＴＲＰ伝送ポイントの送受信が広く適用されることになる。
【０００４】
関連技術の５Ｇシステムにおいて、ＵＥに半永続的データ送信リソースを配置してよく、それは、下りリンク半永続的スケジューリング（ＤＬ  Ｓｅｍｉ−Ｐｅｒｓｉｓｔｅｎｔ  Ｓｃｈｅｄｕｌｉｎｇ、ＤＬ  ＳＰＳ）、上りリンク配置授権タイプ１（ＵＬ  ｃｏｎｆｉｇｕｒｅｄ  ｇｒａｎｔ  Ｔｙｐｅ  １）、上りリンク配置授権タイプ２（ＵＬ  ｃｏｎｆｉｇｕｒｅｄ  ｇｒａｎｔ  Ｔｙｐｅ  ２）、および自律上りリンク（Ａｕｔｏｎｏｍｏｕｓ  Ｕｐｌｉｎｋ、ＡＵＬ）、を含む。
【０００５】
複数の異なるビームまたは伝送ポイントを用いてＵＥへのデータ送受信を行う場合、半永続的リソースをどのように配置するかについて明確な対策はまだない。
【発明の概要】
【０００６】
本開示の目的は、複数の異なるビームまたは伝送ポイントを用いてＵＥへのデータ送受信を行う場合、半永続的リソースをどのように配置するかについて明確な対策はまだないという問題を解決するためのリソース配置方法、端末、およびネットワーク機器を提供することである。
【０００７】
第１の局面の本開示の実施例は、
半永続的リソースのリソース配置情報を取得し、前記リソース配置情報は、複数の伝送キャリアの識別子情報と、前記伝送キャリアそれぞれの識別子情報に対応するリソース割り当て情報とを含むこと、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することを含む、リソース配置方法を提供する。
第２の局面の本開示の実施例は、
半永続的リソースのリソース配置情報を送信し、前記リソース配置情報は、複数の伝送キャリアの識別子情報と、前記伝送キャリアそれぞれの識別子情報に対応するリソース割り当て情報とを含む、リソース配置方法をさらに提供する。
第３の局面の本開示の実施例は、
半永続的リソースのリソース配置情報を取得するためのものであり、前記リソース配置情報は、複数の伝送キャリアの識別子情報と、前記伝送キャリアそれぞれの識別子情報に対応するリソース割り当て情報とを含む取得モジュール、および、
前記半永続的リソースのリソース配置情報に基づいて、前記伝送キャリアがリソース周期それぞれにおいて利用可能なリソース位置情報、およびリソース周期それぞれにおいて利用可能なハイブリッド自動再送要求ＨＡＲＱプロセス番号を決定するための決定モジュールを含む、端末をさらに提供する。
【０００８】
第４の局面の本開示の実施例は、
メモリ、プロセッサ、およびメモリに記憶され、プロセッサ上で実行することができるコンピュータープログラムを含み、前記コンピュータプログラムが前記プロセッサによって実行されるとき、第１の局面に記載のリソース配置方法のステップが実現される、端末をさらに提供する。
【０００９】
第５の局面の本開示の実施例は、
半永続的リソースのリソース配置情報を送信するためのものであり、前記リソース配置情報は、複数の伝送キャリアの識別子情報および前記伝送キャリアそれぞれの識別子情報に対応するリソース割り当て情報を含む送信モジュールを具備する、ネットワーク機器をさらに提供する。
【００１０】
第６の局面の本開示の実施例は、
メモリ、プロセッサ、およびメモリに記憶され、プロセッサ上で実行することができるコンピュータプログラムを含み、前記コンピュータプログラムが前記プロセッサによって実行されるとき、第２の局面に記載のリソース配置方法のステップが実現される、ネットワーク機器をさらに提供する。
【００１１】
第７の局面の本開示の実施例は、
コンピュータプログラムが記憶され、前記コンピュータプログラムがプロセッサによって実行されるとき、第１の局面に記載のリソース配置方法のステップまたは第２の局面に記載のリソース配置方法のステップが実現される、コンピュータ可読記憶媒体をさらに提供する。
【００１２】
本開示の実施例は、以下の有益な効果を有する。
【００１３】
本開示の実施例における技術案によれば、半永続的リソースのリソース配置情報を取得し、前記リソース配置情報は、複数の伝送キャリアの識別子情報および前記伝送キャリアそれぞれの識別子情報に対応するリソース割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【００１４】
本開示の実施例における技術案をより明確に説明するために、以下に、本開示の実施例を説明するために必要な添付の図面を簡単に紹介する。明らかに、以下に説明された添付図面は、本開示の単なるいくつかの実施例に過ぎず、当業者は、創造的な努力なしに、これらの添付の図面から他の図面を導き出すことができる。
【図面の簡単な説明】
【００１５】
【図１】図１は、本開示の実施例に適用されるネットワークシステムの構造図。
【図２】図２は、本開示の実施例のリソース配置方法のフローチャート１。
【図３】図３は、本開示の実施例のリソース配置方法のフローチャート２。
【図４】図４は、本開示の実施例の端末のモジュールの模式図のその１。
【図５】図５は、本開示の実施例の端末のモジュールの模式図のその２。
【図６】図６は、本開示の実施例の端末の構造ブロック図のその１。
【図７】図７は、本開示の実施例の端末の構造ブロック図のその２。
【図８】図８は、本開示の実施例のネットワーク機器のモジュールの模式図。
【図９】図９は、本開示の実施例のネットワーク機器の構造ブロック図。
【発明を実施するための形態】
【００１６】
本開示の実施例は、添付の図面を参照して以下により詳細に説明される。添付図面は本開示の実施例を示しているが、本開示は様々な形態で実施することができ、ここに記載の実施例によって限定されるべきではないと理解される。代わりに、これらの実施例は、本開示がよりよく理解でき、本開示の範囲が技術者に完全に伝達できるように提供されるものである。
【００１７】
本出願の明細書および特許請求の範囲において、「含む」、「有する」、およびそれらの任意の変形は、非排他性の「包含」を意図的にカバーするものであり、例えば、一連のステップ又はユニットを含むプロセス、方法、システム、製品、または機器は、必ずしも明示的にリストされたステップまたはユニットに限定されないが、明示的にリストされていない、またはそのようなプロセス、方法、製品、または機器に固有の他のステップまたはユニットを含める。明細書および特許請求の範囲における「および／または」の使用は、接続された対象の少なくとも１つを表す。
【００１８】
以下の説明に示される例は、特許請求に記載される範囲、適用性、または配置を制限することを意図しない。検討された要素の機能および配置は、本開示の精神および範囲から逸脱することなく変更されることが可能である。さまざまな例を省略したり、適切に置き換えたり、さまざまな手順やコンポーネントを追加したりすることができる。例えば、記載された方法は、記載された順序とは異なる順序で実行され、そしてステップは、追加され、省略され、または組み合わせることが可能である。さらに、いくつかの例を参照して説明された特徴は、他の例で組み合わせることができる。
【００１９】
図１を参照して、図１は本開示の実施例に適用されるネットワークシステムの構造図である。図１に示すように、ユーザ端末１１および基地局１２を含む。ただし、ユーザ端末１１は、ユーザ機器（Ｕｓｅｒ  Ｅｑｕｉｐｍｅｎｔ、ＵＥ）であってよく、例えば、携帯電話、タブレット・コンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末（ｐｅｒｓｏｎａｌ  ｄｉｇｉｔａｌ  ａｓｓｉｓｔａｎｔ、ＰＤＡ）、モバイルインターネット機器（Ｍｏｂｉｌｅ  Ｉｎｔｅｒｎｅｔ  Ｄｅｖｉｃｅ、ＭＩＤ）、またはウェアラブル機器（Ｗｅａｒａｂｌｅ  Ｄｅｖｉｃｅ）、などの端末側機器であってよい。本開示の実施例では、特定のタイプのユーザ端末１１に限定されないことに留意したい。基地局１２は、５Ｇ及び以降のバージョンの基地局（例えば、ｇＮＢ、５Ｇ  ＮＲ  ＮＢ）、または別の通信システムの基地局、またはノードＢ、進化型ノードＢ、送受信ポイント（ｔｒａｎｓｍｉｔｔｉｎｇ  ｒｅｃｅｉｖｉｎｇ  ｐｏｉｎｔ、ＴＲＰ）、または前記技術分野における別の用語であってよい。同じ技術的効果を達成できれば、前記基地局は特定の技術用語に限定されない。本開示の実施例において、５Ｇ基地局のみを例としたが、特定のタイプの基地局１２は限定されないことに留意したい。
【００２０】
図２に示すように．本開示の実施例は、端末に用いられるリソース配置方法を提供する。この方法は、以下のステップを含む。
【００２１】
ステップ２０１：半永続的リソースのリソース配置情報を取得し、前記リソース配置情報は、複数の伝送キャリアの識別子情報と、前記伝送キャリアそれぞれの識別子情報に対応するリソース割り当て情報を含む。
【００２２】
上記伝送キャリアは、ビームまたは伝送ポイントを含む。このリソース割り当て情報は、リソース周期を含む。
【００２３】
伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、および伝送キャリアに対応するＭＡＣエンティティー識別子の少なくとも１つを含む。
【００２４】
例えば、上記伝送キャリアに対応するセル識別子は、具体的にはセル１、上記伝送キャリアに対応する周波数ビン識別子は具体的には周波数ビン１、上記伝送キャリアに対応する帯域幅部分ＢＷＰ識別子は、具体的にはＢＷＰ＿１、上記伝送キャリアに対応するＭＡＣエンティティー識別子は、具体的にはＭＡＣ＿１であってよい。
【００２５】
さらに、前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、参考信号は、ＳＳＢおよび／またはＣＳＩ-ＲＳを含む。
【００２６】
ＳＳＢ識別子および／またはＣＳＩ-ＲＳ識別子に加えて、上記伝送キャリア識別子は、別の信号識別子であってよく、ここで特に限定されない。
【００２７】
上記参考信号に対応するポート番号識別子は、具体的には、ｐｏｒｔ＿１であってよく、この参考信号は、ＳＳＢおよびＣＳＩ-ＲＳに加え、別の参考信号であってよいが、ここでは特に限定されない。
【００２８】
前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【００２９】
ただし、制御チャネルタイプ識別子は、具体的にはマスタセルＰＣｅｌｌのＰＤＣＣＨ＿１であってよく、制御チャネルのリソース位置識別子は、制御リソースセット（ＣＯＲＥＳＥＴ）および／または検索空間（ｓｅａｒｃｈ  ｓｐａｃｅ）識別子であってよく、制御チャネルの参考信号識別子は、ＳＳＢ識別子および／またはＣＳＩ-ＲＳ識別子であってよい。
【００３０】
ステップ２０２：前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定する。
【００３１】
選択的に、前記半永続的リソースのリソース配置情報に基づいて、前記伝送キャリアがリソース周期それぞれにおいて利用可能なリソース位置情報、およびリソース周期それぞれにおいて利用可能なハイブリッド自動再送要求ＨＡＲＱプロセス番号を決定する。
【００３２】
具体的には、下りリンク半永続的スケジューリングＳＰＳリソース、上りリンク配置授権タイプ２リソース、または自律上りリンクＡＵＬリソースについて、前記伝送キャリアがリソース周期それぞれに利用可能なリソース位置情報を決定することは、
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【００３３】
上りリンク配置授権タイプ１リソースについて、前記半永続的リソースのリソース配置情報に基づいて、前記伝送キャリアがリソース周期それぞれにおいて利用可能なリソース位置情報を決定することは、
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【００３４】
さらに、下りリンクの半永続的スケジューリングＳＰＳリソース、上りリンク配置授権タイプ１リソース、または上りリンク配置授権タイプ２リソースについて、リソース周期それぞれにいて利用可能なＨＡＲＱプロセスが１つある場合、
前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定することを含む。
【００３５】
さらに、下りリンク半永続的スケジューリングＳＰＳリソースまたは上りリンク配置授権タイプ１リソースについて、リソース周期それぞれにおいて利用可能なＨＡＲＱプロセスが複数ある場合、
前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数とＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定することを含む。
【００３６】
さらに、上りリンク配置授権タイプ２リソースについて、リソース周期それぞれにおいて利用可能なＨＡＲＱプロセスが複数ある場合、
前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、ＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定することを含む。
【００３７】
本開示の実施例のリソース配置方法によれば、半永続的リソースのリソース配置情報を取得し、前記リソース配置情報は、複数の伝送キャリアの識別子情報および前記伝送キャリアそれぞれの識別子情報に対応するリソースの割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【００３８】
さらに、一つの選択的な実現方式として、前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む。
【００３９】
ここでは、前記半永続的リソースは、下りリンク半永続的スケジューリングＳＰＳリソース、上りリンク配置授権タイプ２リソース、または自律上りリンクＡＵＬリソースである。
【００４０】
具体的には、前記半永続的リソースが下りリンク半永続的スケジューリングＳＰＳリソースであり、リソース周期それぞれにおいて利用可能なＨＡＲＱプロセスが１つある場合、前記リソース割り当て情報はさらに、リソース周期それぞれにおける前記伝送キャリアの半永続的リソースの割り当て情報を含む。
【００４１】
前記半永続的リソースが下りリンク半永続的スケジューリングＳＰＳリソースであり、リソース周期それぞれにおいて利用可能なＨＡＲＱプロセスが複数ある場合、前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む。
【００４２】
別の一つの選択的な実現方式として、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースにおける時間ドメインリソースそれぞれの占める時間ドメインの長さの少なくとも１つを含む。
【００４３】
ここでは、前記半永続的リソースは、上りリンク配置授権タイプ１リソースである。
【００４４】
例えば、上記時間ドメインのオフセット量は、具体的には１０つのＯＦＤＭシンボルであってよく、ＳＦＮ＝０の位置については、伝送キャリアの半永続的リソースは、具体的には１０番目のシンボルであってよい。上記時間ドメインリソースそれぞれの占める時間ドメインの長さは、具体的には２つのシンボルであってよい。
【００４５】
ただし、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも一つを含み、前記リソース割り当て短周期は、前記リソース周期よりも時間の長さが短くなる。
【００４６】
たとえば、リソース割り当ての開始位置情報は、具体的にはタイムスロット２で、アクティブ化位置に対するオフセット量は２タイムスロットであってよい。リソース割り当てビットマップｂｉｔｍａｐは、具体的には１０ｂｉｔでマークされた１０つのタイムスロットの位置であってよく、ただし、値１のｂｉｔでマークされたタイムスロット位置のリソースは、端末に割り当てられたリソースとして決定される。リソース割り当ての時間の長さは、具体的には、周期が４０ｍｓのリソースに対して、リソースの開始位置から１０ｍｓのリソース割り当ての時間の長さであってよい。リソース割り当て短周期は具体的には、周期が４０ｍｓのリソースに対して、４０ｍｓごとに１０ｍｓのリソース割り当ての時間の長さがあり、１０ｍｓ以内にリソース割り当て短周期が２ｍｓであることであってよい。
【００４７】
一番目の選択的な実現方式として、前記半永続的リソースは下りリンク半永続的スケジューリングＳＰＳリソースであり、リソース周期それぞれにおいて利用可能なＨＡＲＱプロセスが１つある。
下りリンク半永続的スケジューリングＳＰＳリソースは、ネットワーク側で周期的な下りリンクリソースが配置され、各周期に１つの上りリンクリソースが割り当てられる。ネットワーク側は、物理的下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を通じてシグナリングを制御して、このＳＰＳリソースの使用をアクティブ化または非アクティブ化にする。このＰＤＣＣＨコマンドは、アクティブ化されたリソースの位置を指示し、たとえば、開始システムフレーム番号（ＳＦＮｓｔａｒｔ  ｔｉｍｅ）と開始タイムスロット番号（ｓｌｏｔｓｔａｒｔ  ｔｉｍｅ）がリソースの開始位置である。
【００４８】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定することを含む。
【００４９】
具体的には、上記アクティブ化シグナリングは、ＰＤＣＣＨアクティブ化シグナリングであってよく、端末は、このアクティブ化シグナリングに基づいて、半永続的リソースの開始位置、例えば、ＳＦＮｓｔａｒｔ  ｔｉｍｅおよびｓｌｏｔｓｔａｒｔ  ｔｉｍｅを決定する。端末は、次の式を使用して、上記リソース配置情報とこの半永続的リソースの開始位置に基づいて、前記伝送キャリアがリソース周期それぞれにおいて開始で利用可能なリソース位置情報を決定する。
【数１】
2022500950.tif 000003
ただし、ＣＵＲＲＥＮＴ＿ｓｌｏｔは現在のタイムスロット番号を表し、
【数２】
2022500950.tif 000004
ＮＳｌｏｔｎｕｍｂｅｒ  ｉｎ  ｔｈｅ  ｆｒａｍｅは、現在のシステムフレームのタイムスロット番号である。ＳＦＮは、現在のシステムフレーム番号を表す。ＮＳｌｏｔｓＰｅｒＦｒａｍｅは、システムフレームあたりのタイムスロット数を表す。ＳＦＮｓｔａｒｔ  ｔｉｍｅは、開始システムフレーム番号を表す。ｓｌｏｔｓｔａｒｔ  ｔｉｍｅは、開始タイムスロット番号を表す。Ｎは、Ｎ番目のリソースを表す。Ｔｐｅｒｉｏｄｉｃｉｔｙは、無線リソース制御ＲＲＣメッセージ配置のリソース周期を表す。
【００５０】
あるいは、前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定する。
【００５１】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の情報の少なくとも一つを含み、前記リソース割り当て短周期は、前記リソース周期よりも時間の長さが短くなる。
【００５２】
端末は具体的に、上記割り当て情報に基づいて、以下の方法を使用して、伝送キャリアがリソース周期それぞれにおいて利用可能なリソース位置情報を決定することができる。
【００５３】
方法１：上記割り当て情報はリソース割り当てｂｉｔｍａｐを含み、リソース割り当てｂｉｔｍａｐ＝１０ｂｉｔｓ  ｂｉｔｍａｐである。このとき、利用可能なリソース位置は、開始位置から始まる１０ｂｉｔから決定される。
【００５４】
方法２：上記割り当て情報は、リソース割り当ての時間の長さ、たとえば１０ｍｓを含む。このとき、開始位置から始まる１０ｍｓ以内のリソースが、伝送キャリアがリソース周期それぞれにおいて利用可能なリソースとして決定される。
【００５５】
方法３：上記割り当て情報は、リソース割り当ての時間の長さ、例えば１０ｍｓと、リソース割り当て短周期、例えば２ｍｓを含む。このとき、開始位置から始まる１０ｍｓ以内に、２ｍｓごとに１つの利用可能なリソースが端末に割り当てられる。
【００５６】
この一番目の選択的な実現方式では、上記ステップ２０２において、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、リソース周期、現在のタイムスロット番号、システムフレームあたりのタイムスロット数、および半永続的リソースのＨＡＲＱプロセス数に基づいて、前記伝送キャリアそれぞれがリソース周期それぞれにおいて利用可能なＨＡＲＱプロセス番号を決定することを含む。
【００５７】
具体的には、前記伝送キャリアそれぞれがリソース周期それぞれにおいて利用可能なＨＡＲＱプロセス番号は、次の式を使用して決定される。
【数３】
2022500950.tif 000005
ただし、ＮＨＡＲＱ−Ｐｒｏｃｅｓｓｅｓは、ＲＲＣメッセージ配置のＳＰＳリソースのＨＡＲＱプロセス数を表す。
ＨＡＲＱ  Ｐｒｏｃｅｓｓ  ＩＤは、伝送キャリアがリソース周期それぞれにおいて利用可能なＨＡＲＱプロセス番号を表す。
【００５８】
あるいは、異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定する。
【００５９】
具体的には、前記伝送キャリアそれぞれがリソース周期それぞれにおいて利用可能なＨＡＲＱプロセス番号は、次の式を使用して決定される。
【数４】
2022500950.tif 000006
ただし、ＯｆｆｓｅｔＨＡＲＱ  Ｐｒｏｃｅｓｓ  ＩＤは、ＨＡＲＱプロセス識別子のオフセット量を表す。
【００６０】
上記ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数のうちの少なくとも１つを含む。
【００６１】
選択的に、この一番目の選択的な実現方式では、ネットワーク機器によって端末が利用可能なＨＡＲＱ配置情報が配置されまたはプロトコルで約束される。このＨＡＲＱ配置情報は、半永続的リソースのＨＡＲＱプロセス数を含む。例えば、半永続的リソースの利用可能なＨＡＲＱプロセスの総数は４つである。
【００６２】
この一番目の選択的な実現方式では、ネットワーク機器は、上記と同じ方法で前記伝送キャリアがリソース周期それぞれにおいて利用可能なリソース位置情報と、リソース周期それぞれにおいて利用可能なハイブリッド自動再送要求ＨＡＲＱプロセス番号を決定し、決定された利用可能なリソース位置情報および利用可能なＨＡＲＱプロセス番号に基づいてデータを送信する。端末は対応する位置でネットワーク機器から送信されたデータを受信する。
【００６３】
選択的に、ネットワーク機器は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【００６４】
二番目の選択的な実現方式として、前記半永続的リソースは、下りリンク半永続的スケジューリングＳＰＳリソースであり、リソース周期それぞれにおいて利用可能なＨＡＲＱプロセスが複数ある。
【００６５】
ここで、下りリンク半永続的スケジューリングＳＰＳリソースは、ネットワーク側によって周期的な上りリンクリソースが配置され、各周期に１つの上りリンクリソースが割り当てられる。ネットワーク側は、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）制御シグナリングを使用して、このＳＰＳリソースの使用をアクティブ化または非アクティブ化にする。このＰＤＣＣＨコマンドは、アクティブ化されたリソースの位置を指示し、たとえば、開始システムフレーム番号（ＳＦＮｓｔａｒｔ  ｔｉｍｅ）と開始タイムスロット番号（ｓｌｏｔｓｔａｒｔ  ｔｉｍｅ）がリソースの開始位置である。
【００６６】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【００６７】
ここで、この二番目の選択的な実現方式では、伝送キャリアがリソース周期それぞれにおいて利用可能なリソース位置情報を決定する具体的な実現プロセスは、上記一番目の選択的な実現方式では伝送キャリアがリソース周期それぞれにおいて利用可能なリソース位置情報を決定する具体的な実現プロセスと同じであるが、詳細はここで再び説明されない。
【００６８】
この二番目の選択的な実現方式では、上記ステップ２０２において、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定することを含む。
具体的には、リソース周期それぞれにおける前記伝送キャリアそれぞれの開始リソースのＨＡＲＱプロセス番号は、最初に次の式を使用して決定される。
【数５】
2022500950.tif 000007
【００６９】
次に、残りのＨＡＲＱプロセス番号には、リソース周期の番号とリソース番号に基づいて順番に割り当てられる。
【００７０】
ただし、ＮＨＡＲＱ−ＰｒｏｃｅｓｓｅｓＰｅｒＰｅｒｉｏｄは、リソース周期それぞれにおいて利用可能なＨＡＲＱプロセス数を表す。
【００７１】
たとえば、Ｔｐｅｒｉｏｄｉｃｉｔｙ＝１０、ＮＨＡＲＱ−Ｐｒｏｃｅｓｓｅｓ＝４、ＮＨＡＲＱ−ＰｒｏｃｅｓｓｅｓＰｅｒＰｅｒｉｏｄ＝２、ネットワーク側は、各周期に２つのリソース位置が配置された。この場合、第１のリソース周期の第１のリソースの「ＨＡＲＱプロセス番号＝１」であり、第２のリソース周期の第１のリソースの「ＨＡＲＱプロセス番号＝２」であり、第３のリソース周期の第１のリソースの「ＨＡＲＱプロセス番号＝１」であり、第４のリソース周期の第１のリソースの「ＨＡＲＱプロセス番号＝２」であると類推する。第１のリソース周期の第２のリソースの「ＨＡＲＱプロセス番号＝３」であり、第２のリソース周期の第２のリソースの「ＨＡＲＱプロセス番号＝４」であり、第３のリソース周期の第２のリソースの「ＨＡＲＱプロセス番号＝３」であり、第４のリソース周期の第２のリソースの「ＨＡＲＱプロセス番号＝２」であると類推する。
あるいは、異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数、およびＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定する。
【００７２】
具体的には、リソース周期それぞれにおける前記伝送キャリアそれぞれの開始リソースのＨＡＲＱプロセス番号は、次の式を使用して決定される。
【数６】
2022500950.tif 000008
ただし、ＯｆｆｓｅｔＨＡＲＱ  Ｐｒｏｃｅｓｓ  ＩＤは、ＨＡＲＱプロセス識別子のオフセット量を表す。
【００７３】
上記ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数のうちの少なくとも１つを含む。
【００７４】
選択的に、この二番目の選択的な実現方式では、ネットワーク機器によって端末が利用可能なＨＡＲＱ配置情報が配置されまたはプロトコルで約束される。このＨＡＲＱ配置情報は、半永続リソースのＨＡＲＱプロセス数、半永続的リソースのＨＡＲＱプロセス番号（たとえば、半永続的リソースが利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【００７５】
たとえば、ＵＥには合計４つの利用可能なＨＡＲＱプロセスがあり、リソース周期それぞれにおいて利用可能なＨＡＲＱプロセスが２つある。この場合、ＵＥの開始位置から第１のリソース周期のＨＡＲＱプロセス番号は１と２であり、第２の周期のＨＡＲＱプロセス番号は３と４であり、第３の周期のＨＡＲＱプロセス番号は１と２であり、第４の周期のＨＡＲＱプロセス番号は３と４であると類推する。
【００７６】
この二番目の選択的な実現方式では、ネットワーク機器は、上記と同じ方法で前記伝送キャリアがリソース周期それぞれにおいて利用可能なリソース位置情報と、リソース周期それぞれにおいて利用可能なハイブリッド自動再送要求ＨＡＲＱプロセス番号を決定し、決定された利用可能なリソース位置情報および利用可能なＨＡＲＱプロセス番号に基づいてデータを送信する。端末は対応する位置でネットワーク機器から送信されたデータを受信する。
【００７７】
選択的に、ネットワーク機器は、決定された利用可能なリソース位置および利用可能なＨＡＲＱプロセス番号に基づいてデータを送信したとき、まず、利用可能なリソース位置情報に対応するリソースおよびＨＡＲＱプロセス番号がアイドル状態であるかどうかを検出し、アイドル状態の場合に、データを送信する。
【００７８】
この三番目の選択的な実現方式として、前記半永続的リソースは上りリンク配置授権タイプ１リソースであり、リソース周期それぞれにおいて利用可能なＨＡＲＱプロセスが１つある。
【００７９】
ここでは、上りリンク配置授権タイプ１リソースは、ネットワーク側によって周期的な上りリンクリソースが配置され、各周期に１つの上りリンクリソースが割り当てられ、ＰＤＣＣＨコマンドを使用してアクティブ化する必要はなく、ＲＲＣを使用して配置すれば使用できる。
【００８０】
上記ステップ２０２において、前記半永続的リソースのリソース配置情報に基づいて、前記伝送キャリアがリソース周期それぞれにおいて利用可能なリソース位置情報を決定することは、
前記半永続的リソースのリソース配置情報に基づいて、前記伝送キャリアがリソース周期それぞれにおいて開始で利用可能なリソース位置情報を決定する。
【数７】
2022500950.tif 000009
ただし、ＮＳｌｏｔｓＰｅｒＦｒａｍｅは、システムフレームあたりのタイムスロット数を表す。ＮＳｙｍｂｏｌｓＰｅｒＳｌｏｔは、各タイムスロットのシンボル数を表す。ＮＳｌｏｔｎｕｍｂｅｒｉｎｔｈｅｆｒａｍｅは、現在のシステムフレームのタイムスロット番号を表す。ＯｆｆｓｅｔｔｉｍｅＤｏｍａｉｎは、ＳＦＮ＝０である時間ドメインのリソースのオフセット量を表す。Ｎは、Ｎ番目のリソースを表す。Ｓは、開始シンボルの番号を表す。Ｔｐｅｒｉｏｄｉｃｉｔｙは、無線リソース制御ＲＲＣメッセージ配置のリソース周期を表す。Ｎｓｙｍｂｏｌ  ｎｕｍｂｅｒ  ｉｎ  ｔｈｅ  ｓｌｏｔは、現在のタイムスロットのシンボル番号を表す。
【数８】
2022500950.tif 000010
ただし、ＣＵＲＲＥＮＴ＿ｓｙｍｂｏｌは、現在のシンボル番号を表す。
【００８１】
あるいは、前記リソース割り当て情報がリソース周期それぞれにおけるリソースの割り当て情報を含む場合、リソース周期それぞれにおける前記半永続的リソースの割り当て情報に基づいて、リソース周期それぞれにおける前記伝送キャリアの利用可能なリソース位置情報を決定する。
【００８２】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも一つを含み、前記リソース割り当て短周期は前記リソース周期よりも時間の長さが短くなる。
【００８３】
端末は具体的に、上記割り当て情報に基づいて、以下の方法を使用して、伝送キャリアがリソース周期それぞれにおいて利用可能なリソース位置情報を決定することができる。
【００８４】
方法１：上記割り当て情報はリソース割り当てｂｉｔｍａｐを含み、リソース割り当てｂｉｔｍａｐ＝１０ｂｉｔｓ  ｂｉｔｍａｐである。このとき、利用可能なリソース位置は、開始位置から始まる１０ｂｉｔから決定される。
【００８５】
方法２：上記割り当て情報は、リソース割り当ての時間の長さ、たとえば１０ｍｓを含む。このとき、開始位置から始まる１０ｍｓ以内のリソースが、伝送キャリアがリソース周期それぞれにおいて利用可能なリソースとして決定される。
【００８６】
方法３：上記割り当て情報は、リソース割り当ての時間の長さ、例えば１０ｍｓと、リソース割り当て短周期、例えば２ｍｓを含む。このとき、開始位置から始まる１０ｍｓ以内に、２ｍｓごとに１つの利用可能なリソースが端末に割り当てられる。
【００８７】
この三番目の選択的な実現方式では、上記ステップ２０２において前記半永続的リソースのリソース配置情報に基づいて、前記伝送キャリアがリソース周期それぞれにおいて利用可能なＨＡＲＱプロセス番号を決定ことは、
【００８８】
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット量、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定する。
【００８９】
ここの具体的な実現プロセスは、上記一番目の選択的な実現方式における実現プロセスと同じであるので、詳細は、ここでは再び説明されない。
【００９０】
選択的に、この三番目の選択的な実現では、ネットワーク機器によって端末が利用可能なＨＡＲＱ配置情報が配置されまたはプロトコルで約束される。このＨＡＲＱ配置情報は、半永続的リソースのＨＡＲＱプロセス数を含み、例えば、半永続的リソースの利用可能なＨＡＲＱプロセスの総数は４つである。
【００９１】
この三番目の選択的な実現方式では、端末は、半持続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用して、データを送信する。
【００９２】
選択的に、端末は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【００９３】
四番目の選択的な実現方式として、前記半永続的リソースは、上りリンク配置授権タイプ１リソースであり、リソース周期それぞれにおいて利用可能なＨＡＲＱプロセスが複数ある。
【００９４】
ここでは、上りリンク配置授権タイプ１リソースは、ネットワーク側によって周期的な上りリンクリソースが配置され、各周期に１つの上りリンクリソースが割り当てられ、ＰＤＣＣＨコマンドを使用してアクティブ化する必要はなく、ＲＲＣを使用して配置すれば使用できる。
【００９５】
上記ステップ２０２において、前記半永続的リソースのリソース配置情報に基づいて、前記伝送キャリアがリソース周期それぞれにおいて利用可能なリソース位置情報を決定することは、
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【００９６】
ここでの具体的な実現プロセスは、上記三番目の選択的な実現方式における実現プロセスと同じであるので、詳細は、ここで再び説明されない。
【００９７】
四番目の選択的な実現方式では、上記ステップ２０２において、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数とＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、を含む。
【００９８】
ここでの具体的な実現プロセスは、上記二番目の選択的な実現方式における実現プロセスと同じであるので、詳細は、ここで再び説明されない。
【００９９】
選択的に、この四番目の選択的な実現方式では、ネットワーク機器によって端末が利用可能なＨＡＲＱ配置情報が配置されまたはプロトコルで約束され、このＨＡＲＱ配置情報は、半永続的リソースのＨＡＲＱプロセス数、半永続的リソースのＨＡＲＱプロセス番号（たとえば、半永続的リソースが利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【０１００】
たとえば、ＵＥには合計４つの利用可能なＨＡＲＱプロセスがあり、リソース周期それぞれにおいて利用可能なＨＡＲＱプロセスが２つある。この場合、ＵＥの開始位置から第１のリソース周期のＨＡＲＱプロセス番号は１と２であり、第２の周期のＨＡＲＱプロセス番号は３と４であり、第３の周期のＨＡＲＱプロセス番号は１と２であり、第４の周期のＨＡＲＱプロセス番号は３と４であると類推する。
【０１０１】
四番目の選択的な実現方式では、端末は、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用してデータを送信する。
【０１０２】
選択的に、端末は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【０１０３】
五番目の選択的な実現方式として、前記半永続的リソースは上りリンク配置授権タイプ２リソースであり、リソース周期それぞれにおいて利用可能なＨＡＲＱプロセスが１つある。
【０１０４】
ここで、上りリンク配置授権タイプ２リソースは、ネットワーク側によって周期的な上りリンクリソースが配置され、各周期に１つの上りリンクリソースが割り当てられる。ネットワーク側は、ＰＤＣＣＨ制御シグナリングを通じて、このＳＰＳリソースの使用をアクティブ化または非アクティブ化にする。このＰＤＣＣＨコマンドは、アクティブ化されたリソースの位置（たとえば、ＳＦＮｓｔａｒｔ  ｔｉｍｅ（開始システムフレーム番号）、ｓｌｏｔｓｔａｒｔ  ｔｉｍｅ（開始タイムスロット番号）、およびｓｙｍｂｏｌｓｔａｒｔ  ｔｉｍｅ（開始シンボル番号））が、リソースの開始位置であることを指示する。
【０１０５】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定することを含む。
【０１０６】
具体的には、前記伝送キャリアがリソース周期それぞれにおいて開始で利用可能なリソース位置情報は、次の式によって決定される。
【数９】
2022500950.tif 000011
ただし、ＳＦＮは、現在のシステムフレーム番号を表す。ＮＳｌｏｔｓＰｅｒＦｒａｍｅは、システムフレームあたりのタイムスロット数を表す。ＮＳｙｍｂｏｌｓＰｅｒＳｌｏｔは、各タイムスロットのシンボルの数を表す。ＮＳｌｏｔｎｕｍｂｅｒｉｎｔｈｅｆｒａｍｅは、現在のシステムフレームのタイムスロット番号を表す。Ｎｓｙｍｂｏｌ  ｎｕｍｂｅｒ  ｉｎ  ｔｈｅ  ｓｌｏｔは、現在のタイムスロットのシンボル番号を表す。
【０１０７】
あるいは、前記リソース割り当て情報がリソース周期それぞれにおけるリソースの割り当て情報を含む場合、前記伝送キャリアがリソース周期それぞれにおいて利用可能なリソース位置情報は、リソース周期それぞれにおける前記半永続的リソースの割り当て情報に基づいて決定される。
【０１０８】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも一つを含み、前記リソース割り当て短周期は前記リソース周期よりも時間の長さが短くなる。
【０１０９】
端末は具体的に、上記割り当て情報に基づいて、以下の方法を使用して、伝送キャリアがリソース周期それぞれにおいて利用可能なリソース位置情報を決定することができる。
【０１１０】
方法１：上記割り当て情報はリソース割り当てｂｉｔｍａｐを含み、リソース割り当てｂｉｔｍａｐ＝１０ｂｉｔｓ  ｂｉｔｍａｐである。このとき、利用可能なリソース位置は、開始位置から始まる１０ｂｉｔから決定される。
【０１１１】
方法２：上記割り当て情報は、リソース割り当ての時間の長さ、たとえば１０ｍｓを含む。このとき、開始位置から始まる１０ｍｓ以内のリソースが、伝送キャリアがリソース周期それぞれにおいて利用可能なリソースとして決定される。
【０１１２】
方法３：上記割り当て情報は、リソース割り当ての時間の長さ、例えば１０ｍｓと、リソース割り当て短周期、例えば２ｍｓを含む。このとき、開始位置から始まる１０ｍｓ以内に、２ｍｓごとに１つの利用可能なリソースが端末に割り当てられる。
【０１１３】
この五番目の選択的な実現方式では、上記ステップ２０２において前記半永続的リソースのリソース配置情報に基づいて、前記伝送キャリアがリソース周期それぞれにおいて利用可能なＨＡＲＱプロセス番号を決定することは、
前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット量、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定することを含む。
【０１１４】
ここの具体的な実現プロセスは、上記一番目の選択的な実現方式における実現プロセスと同じであるので、詳細は、ここでは再び説明されない。
【０１１５】
選択的に、この五番目の選択的な実現では、ネットワーク機器によって端末が利用可能なＨＡＲＱ配置情報が配置されまたはプロトコルで約束される。このＨＡＲＱ配置情報は、半永続的リソースのＨＡＲＱプロセス数を含み、例えば、半永続的リソースの利用可能なＨＡＲＱプロセスの総数は４つである。
【０１１６】
この五番目の選択的な実現方式では、端末は、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用してデータを送信する。
【０１１７】
選択的に、端末は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【０１１８】
六番目の選択的な実現方式として、前記半永続的リソースは、上りリンク配置授権タイプ２リソースであり、リソース周期それぞれにおいて利用可能なＨＡＲＱプロセスが複数ある。
【０１１９】
ここで、上りリンク配置授権タイプ２リソースは、ネットワーク側によって周期的な上りリンクリソースが配置され、各周期に１つの上りリンクリソースが割り当てられる。ネットワーク側は、ＰＤＣＣＨ制御シグナリングを通じて、このＳＰＳリソースの使用をアクティブ化または非アクティブ化にする。このＰＤＣＣＨコマンドは、アクティブ化されたリソースの位置（たとえば、ＳＦＮｓｔａｒｔ  ｔｉｍｅ（開始システムフレーム番号）、ｓｌｏｔｓｔａｒｔ  ｔｉｍｅ（開始タイムスロット番号）、およびｓｙｍｂｏｌｓｔａｒｔ  ｔｉｍｅ（開始シンボル番号））が、リソースの開始位置であることを指示する。
【０１２０】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【０１２１】
ここでの具体的な実現プロセスは、上記五番目の選択的な実現方式における実現プロセスと同じであるので、詳細は、ここで再び説明されない。
【０１２２】
六番目の選択的な実現方式では、上記ステップ２０２において、前記半永続的リソースのリソース配置情報に基づいて、前記伝送キャリアがリソース周期それぞれにおいて利用可能なＨＡＲＱプロセス番号を決定することは、
前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリア―の開始リソースのＨＡＲＱプロセス番号を決定し、リソース周期の番号およびリソース番号に基づいて、リソース周期それぞれにおける後続リソースのＨＡＲＱプロセス番号を決定することを含む。
【０１２３】
具体的には、リソース周期それぞれにおける前記伝送キャリアそれぞれの開始リソースのＨＡＲＱプロセス番号は、最初に次の式を使用して決定される。
【数１０】
2022500950.tif 000012
次に、残りのＨＡＲＱプロセス番号において、リソース周期の番号とリソース番号に基づいて順番に割り当てられる。
【０１２４】
たとえば、Ｔｐｅｒｉｏｄｉｃｉｔｙ＝１０、ＮＨＡＲＱ−Ｐｒｏｃｅｓｓｅｓ＝４、ＮＨＡＲＱ−ＰｒｏｃｅｓｓｅｓＰｅｒＰｅｒｉｏｄ＝２、ネットワーク側は、各周期に２つのリソース位置が配置された。この場合、第１のリソース周期の第１のリソースの「ＨＡＲＱプロセス番号＝１」であり、第２のリソース周期の第１のリソースの「ＨＡＲＱプロセス番号＝２」であり、第３のリソース周期の第１のリソースの「ＨＡＲＱプロセス番号＝１」であり、第４のリソース周期の第１のリソースの「ＨＡＲＱプロセス番号＝２」であると類推する。第１のリソース周期の第２のリソースの「ＨＡＲＱプロセス番号＝３」であり、第２のリソース周期の第２のリソースの「ＨＡＲＱプロセス番号＝４」であり、第３のリソース周期の第２のリソースの「ＨＡＲＱプロセス番号＝３」であり、第４のリソース周期の第２のリソースの「ＨＡＲＱプロセス番号＝２」であると類推する。
【０１２５】
あるいは、異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、およびＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定する。
具体的には、リソース周期それぞれにおける前記伝送キャリアそれぞれの開始リソースのＨＡＲＱプロセス番号は、次の式を使用して決定される。
【数１１】
2022500950.tif 000013
次に、残りのＨＡＲＱプロセス番号において、リソース周期の番号とリソース番号に基づいて順番に割り当てられる。
【０１２６】
たとえば、Ｔｐｅｒｉｏｄｉｃｉｔｙ＝１０、ＮＨＡＲＱ−Ｐｒｏｃｅｓｓｅｓ＝４、ＮＨＡＲＱ−ＰｒｏｃｅｓｓｅｓＰｅｒＰｅｒｉｏｄ＝２、ネットワーク側は、各周期に２つのリソース位置が配置された。この場合、第１のリソース周期の第１のリソースの「ＨＡＲＱプロセス番号＝１」であり、第２のリソース周期の第１のリソースの「ＨＡＲＱプロセス番号＝２」であり、第３のリソース周期の第１のリソース「ＨＡＲＱプロセス番号＝１」であり、第４のリソース周期の第１のリソース「ＨＡＲＱプロセス番号＝２」であると類推する。第１のリソース周期の第２のリソースの「ＨＡＲＱプロセス番号＝３」であり、第２のリソース周期の第２のリソースの「ＨＡＲＱプロセス番号＝４」であり、第３のリソース周期の第２のリソースの「ＨＡＲＱプロセス番号＝３」であり、第４のリソース周期の第２のリソースの「ＨＡＲＱプロセス番号＝２」であると類推する。
【０１２７】
選択的に、この六番目の選択的な実現では、ネットワーク機器によって端末が利用可能なＨＡＲＱ配置情報が配置されまたはプロトコルで約束される。このＨＡＲＱ配置情報は、半永続的リソースのＨＡＲＱプロセス数、半永続的リソースのＨＡＲＱプロセス番号（たとえば、半永続的リソースが利用可能なＨＡＲＱプロセス番号は１、２、３、および４である）、半永続的リソースがリソース周期それぞれにおいて利用可能なＨＡＲＱプロセス数（たとえば、リソース周期それぞれにおいて２つのＨＡＲＱプロセスが使用可能）、半永続的リソースがリソース周期それぞれにおいて利用可能なＨＡＲＱプロセス番号の少なくとも一つを含む。
【０１２８】
たとえば、ＵＥには合計４つの利用可能なＨＡＲＱプロセスがあり、リソース周期それぞれにおいて利用可能なＨＡＲＱプロセスが２つある。この場合、ＵＥの開始位置から第１のリソース周期のＨＡＲＱプロセス番号は１と２であり、第２の周期のＨＡＲＱプロセス番号は３と４であり、第３の周期のＨＡＲＱプロセス番号は１と２であり、第４の周期のＨＡＲＱプロセス番号は３と４であると類推する。
【０１２９】
この六番目の選択的な実現では、端末は、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用してデータを送信する。
【０１３０】
選択的に、端末は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【０１３１】
７番目の選択的な実現方式として、前記半永続的リソースは自律上りリンクＡＵＬリソースである。
【０１３２】
ＡＵＬは、ネットワーク側によって、一つのビットマップｂｉｔｍａｐ（たとえば、４０ｂｉｔにおいて１ｂｉｔの値が１に設定されている場合、このリソースはＵＥに割り当てられる）のリソース割り当てが配置された。ネットワーク側は、ＰＤＣＣＨ制御シグナリングを通じて、ＡＵＬリソースの使用をアクティブ化または非アクティブ化にする。このＰＤＣＣＨコマンドは、アクティブ化されたリソースの位置（たとえば、ＳＦＮｓｔａｒｔ  ｔｉｍｅ（開始システムフレーム番号）、ｓｌｏｔｓｔａｒｔ  ｔｉｍｅ（開始タイムスロット番号）、およびｓｙｍｂｏｌｓｔａｒｔ  ｔｉｍｅ（開始シンボル番号））が、リソースの開始位置であることを指示する。ＵＥは、上りリンクデータが送信された場合、ネットワーク側に配置されたＨＡＲＱプロセスプールから一つのＨＡＲＱプロセスを自律的に選択して、送信する。
【０１３３】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【０１３４】
ここでの具体的な実現プロセスは、上記五番目の選択的な実現方式における実現プロセスと同じであるので、詳細は、ここで再び説明されない。
【０１３５】
選択的に、七番目の選択的な実現方式では、ネットワーク機器によって端末が利用可能なＨＡＲＱ配置情報が配置されまたはプロトコルで約束される。このＨＡＲＱ配置情報は、端末が利用可能なＨＡＲＱプロセス番号プールを含み、例えば、端末が利用可能なＨＡＲＱプロセス番号が１、２、３、および４である。
【０１３６】
この七番目の選択的な実現方式では、端末は、前記半永続的リソース的リソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用してデータを送信する。
【０１３７】
選択的に、端末は、決定された利用可能なリソース位置情報に基づいてデータを送信したとき、まず、利用可能なリソース位置情報に対応するリソースとＨＡＲＱプロセス番号がアイドル状態であるかどうかを検出し、アイドル状態の場合に、リソース配置情報に基づいて、利用可能なＨＡＲＱプロセス番号プールから一つのＨＡＲＱプロセスを選択し、データを送信する。たとえば、ＨＡＲＱプロセス１を選択してデータを送信する。
【０１３８】
本開示の実施例のリソース配置方法によれば、半永続的リソースのリソース配置情報を取得し、前記リソース配置情報は、複数の伝送キャリアの識別子情報および前記伝送キャリアそれぞれの識別子情報に対応するリソース割り当て情報を含み、前記半永続的リソース的リソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【０１３９】
図３に示すように、本開示の実施例は、ネットワーク機器に用いられるリソース配置方法をさらに提供する。この方法は、以下のステップを含む。
【０１４０】
ステップ３０１：半永続的リソースのリソース配置情報を送信し、前記リソース配置情報は、複数の伝送キャリアの識別子情報と、前記伝送キャリアそれぞれの識別子情報に対応するリソース割り当て情報とを含む。
【０１４１】
上記伝送キャリアは、ビームまたは伝送ポイントを含む。上記リソース割り当て情報は、半永続的リソースのリソース周期を含む。
【０１４２】
伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、および伝送キャリアに対応するＭＡＣエンティティー識別子の少なくとも１つを含む。
【０１４３】
例えば、上記伝送キャリアに対応するセル識別子は、具体的にはセル１、上記伝送キャリアに対応する周波数ビン識別子は具体的には周波数ビン１、上記伝送キャリアに対応する帯域幅部分ＢＷＰ識別子は、具体的にはＢＷＰ＿１、上記伝送キャリアに対応するＭＡＣエンティティー識別子は、具体的にはＭＡＣ＿１となる。
【０１４４】
さらに、前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含む。参考信号には、ＳＳＢおよび／またはＣＳＩ-ＲＳが含まれる。
【０１４５】
上記伝送キャリア識別子は、ＳＳＢ識別子および／またはＣＳＩ-ＲＳ識別子に加えて、別の信号識別子であってよく、ここで特に限定されない。
【０１４６】
上記参考信号に対応するポート番号識別子は、具体的には、ｐｏｒｔ＿１であってよく、この参考信号は、ＳＳＢおよびＣＳＩ-ＲＳに加え、別の参考信号であってよく、ここでは特に限定されない。
【０１４７】
前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０１４８】
ただし、制御チャネルタイプ識別子は、具体的にはマスタセルＰＣｅｌｌのＰＤＣＣＨ＿１であってよい。制御チャネルのリソース位置識別子は、制御リソースセット（ＣＯＲＥＳＥＴ）および／または検索空間（ｓｅａｒｃｈ  ｓｐａｃｅ）識別子であってよい。制御チャネルの参考信号識別子は、ＳＳＢ識別子および／またはＣＳＩ-ＲＳ識別子であってよい。
【０１４９】
本開示の実施例のリソース配置方法によれば、ネットワーク機器によって端末に半永続的リソースを配置するとき、異なる半永続的リソースが異なる伝送キャリアに対して配置され、マルチ伝送キャリアの場合の半永続的リソースの利用率を向上しつつ、データ送信時のスケジューリングによる遅延を低減した。
【０１５０】
さらに、一つの選択的な実現方式として、前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む。
【０１５１】
ここでは、前記半永続的リソースは、下りリンク半永続的スケジューリングＳＰＳリソース、上りリンク配置授権タイプ２リソース、または自律上りリンクＡＵＬリソースである。
【０１５２】
具体的には、前記半永続的トリソースが下りリンク半永続的スケジューリングＳＰＳリソースであり、リソース周期それぞれにおいて利用可能なＨＡＲＱプロセスが１つある場合、前記リソース割り当て情報はさらに、リソース周期それぞれにおける前記伝送キャリアの半永続的リソースの割り当て情報を含む。
【０１５３】
前記半永続的リソースが下りリンク半永続的スケジューリングＳＰＳリソースであり、リソース周期それぞれにおいて利用可能なＨＡＲＱプロセスが複数ある場合、前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも一つを含む。
【０１５４】
別の一つの選択的な実現方式として、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースにおける時間ドメインリソースの占める時間ドメインの長さの少なくとも１つを含む。
【０１５５】
ここでは、上記半永続的リソースは、上りリンク配置授権タイプ１リソースである。
【０１５６】
例えば、上記時間ドメインのオフセット量は、具体的には１０つのＯＦＤＭシンボルであってよく、ＳＦＮ＝０の位置については、伝送キャリアの半永続的リソースは、具体的には１０番目のシンボルであってよく、上記時間ドメインリソースそれぞれの占める時間ドメインの長さは、具体的には２つのシンボルであってよい。
【０１５７】
ただし、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも一つを含み、前記リソース割り当て短周期は、前記リソース周期よりも時間の長さが短くなる。
【０１５８】
たとえば、リソース割り当ての開始位置情報は、具体的にはタイムスロット２で、アクティブ化位置に対するオフセット量は２タイムスロットであってよい。リソース割り当てビットマップｂｉｔｍａｐは、具体的には１０ｂｉｔでマークされた１０つのタイムスロットの位置であってよく、ただし、値１のｂｉｔでマークされたタイムスロット位置のリソースは、端末に割り当てられたリソースとして決定される。リソース割り当ての時間の長さは、具体的には、周期が４０ｍｓのリソースに対して、リソースの開始位置から１０ｍｓのリソース割り当ての時間の長さであってよい。リソース割り当て短周期は具体的には、周期が４０ｍｓのリソースに対して、４０ｍｓごとに１０ｍｓのリソース割り当ての時間の長さがあり、１０ｍｓ以内にリソース割り当て短周期が２ｍｓであることであってよい。
【０１５９】
選択的に、本開示の実施例では、ネットワーク機器によって端末が利用可能なＨＡＲＱ配置情報が配置されまたはプロトコルで約束される。このＨＡＲＱ配置情報は、半永続的リソースのＨＡＲＱプロセス数、半永続的リソースのＨＡＲＱプロセス番号、半永続的リソースがリソース周期それぞれにおいて利用可能なＨＡＲＱプロセス数、半永続的リソースがリソース周期それぞれにおいて利用可能なＨＡＲＱプロセス番号、および端末が利用可能なＨＡＲＱプロセス番号プールの少なくとも１つを含む。
【０１６０】
具体的には、下りリンク半永続的スケジューリングＳＰＳリソースについて、リソース周期それぞれにおいて利用可能なＨＡＲＱプロセスが１つある場合、このＨＡＲＱ配置情報には、半永続的リソースのＨＡＲＱプロセス数が含まれ、たとえば、半永続的リソースが利用可能なＨＡＲＱプロセスの総数は４つである。下りリンク半永続的ケジューリングＳＰＳリソースについて、リソース周期それぞれにおいて利用可能なＨＡＲＱプロセスが複数ある場合、このＨＡＲＱ配置情報は、半永続的リソースのＨＡＲＱプロセス数、半永続的リソースのＨＡＲＱプロセス番号（たとえば、半永続的リソースが利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【０１６１】
たとえば、ＵＥには合計４つの利用可能なＨＡＲＱプロセスがあり、リソース周期それぞれにおいて利用可能なＨＡＲＱプロセスが２つある。この場合、ＵＥの開始位置から第１のリソース周期のＨＡＲＱプロセス番号は１と２であり、第２の周期のＨＡＲＱプロセス番号は３と４であり、第３の周期のＨＡＲＱプロセス番号は１と２であり、第４の周期のＨＡＲＱプロセス番号は３と４であると類推する。
【０１６２】
上りリンク配置授権タイプ１リソースについて、リソース周期それぞれにおいて利用可能なＨＡＲＱプロセスが１つある場合、このＨＡＲＱ配置情報は、半永続的リソースのＨＡＲＱプロセス数を含む。たとえば、半永続的リソースが利用可能なＨＡＲＱプロセスの総数は４つである。
【０１６３】
上りリンク配置授権タイプ１リソースについて、リソース周期それぞれにおいて利用可能なＨＡＲＱプロセスが複数ある場合、このＨＡＲＱ配置情報は、半永続的リソースのＨＡＲＱプロセス数、半永続的リソースのＨＡＲＱプロセス番号（たとえば、半永続的リソースが合計に利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【０１６４】
上りリンク配置授権タイプ２リソースについて、リソース周期それぞれにおいて利用可能なＨＡＲＱプロセスが１つある場合、このＨＡＲＱ配置情報は、半永続的リソースのＨＡＲＱプロセス数を含む。たとえば、半永続的リソースが利用可能なＨＡＲＱプロセスの総数は４つである。
【０１６５】
上りリンク配置授権タイプ２リソースについて、リソース周期それぞれにおいて利用可能なＨＡＲＱプロセスが複数ある場合、このＨＡＲＱ配置情報は、半永続的リソースのＨＡＲＱプロセス数、半永続的リソースのＨＡＲＱプロセス番号（たとえば、半永続的リソースが利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【０１６６】
自律上りリンクＡＵＬリソースについて、このＨＡＲＱ配置情報は、端末が利用可能なＨＡＲＱプロセス番号プールを含む。たとえば、端末が利用可能なＨＡＲＱプロセス番号は１、２、３、および４である。
【０１６７】
本開示の実施例のリソース配置方法によれば、ネットワーク機器によって端末に半永続的リソースを配置するとき、異なる半永続的リソースが異なる伝送キャリアに対して配置されたことにより、マルチ伝送キャリアの場合の半永続的リソースの利用率を向上しつつ、データ送信時のスケジューリングによる遅延を低減した。
【０１６８】
図４は、本開示の実施例による端末のモジュールの模式図である。図４に示されるように、本開示の実施例は、以下のモジュールを含む端末４００をさらに提供する。
【０１６９】
半永続的リソースのリソース配置情報を取得するためのものであり、前記リソース配置情報は、複数の伝送キャリアの識別子情報および前記伝送キャリアそれぞれの識別子情報に対応するリソース割り当て情報を含む取得モジュール４０１、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定するための決定モジュール４０２。
【０１７０】
本開示の実施例の端末によれば、前記リソース割り当て情報は、リソース周期を含む。
【０１７１】
本開示の実施例の端末によれば、前記リソース割り当て情報は、さらに、リソース周期それぞれにおける前記伝送キャリアの半永続的リソースの割り当て情報と、前記伝送キャリアの半永続的リソースのＨＡＲＱプロセス数の少なくとも１つを含む。
【０１７２】
本開示の実施例の端末によれば、前記決定モジュールは、
ネットワーク機器から送信されたアクティブ化シグナリングを受信した場合、前記アクティブ化シグナリングに基づいて半永続的リソースの開始位置を決定し、前記リソース配置情報および前記半永続的リソースの開始位置に基づいて、前記伝送キャリアがリソース周期それぞれにおいて開始で利用可能なリソース位置情報を決定するために用いられ、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定するために用いられる。
【０１７３】
本開示の実施例の端末によれば、前記半永続的リソースは、下りリンク半永続的スケジューリングＳＰＳリソース、上りリンク配置授権タイプ２リソース、または自律上りリンクＡＵＬリソースである。
【０１７４】
本開示の実施例の端末によれば、前記リソース割り当て情報はさらに、リソース周期それぞれにおける前記伝送キャリアの半永続的リソースの割り当て情報、前記伝送キャリアの半永続的リソースの時間ドメインのオフセット量、前記伝送キャリアの半永続的リソースにおける時間ドメインリソースそれぞれの占める時間ドメインの長さの少なくとも１つを含む。
【０１７５】
本開示の実施例の端末によれば、前記決定モジュールは、
前記半永続的リソースのリソース配置情報に基づいて、前記伝送キャリアがリソース周期それぞれにおいて開始で利用可能なリソース位置情報を決定するために用いられ、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定するために用いられる。
【０１７６】
本開示の実施例の端末によれば、前記半永続的リソースは、上りリンク配置授権タイプ１リソースである。
【０１７７】
本開示の実施例の端末によれば、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、リソース割り当て短周期の少なくとも１つを含み、
前記リソース割り当て短周期は、前記リソース周期よりも時間の長さが短くなる。
【０１７８】
図５に示すように．本開示の実施例の端末によれば、リソース周期それぞれにおいて利用可能なＨＡＲＱプロセスが１つある場合、
決定モジュール４０２は、
異なる伝送キャリアが異なるＨＡＲＱエンティティーに対応する場合、リソース周期、現在のタイムスロット番号、システムフレームあたりのタイムスロット数、および半永続的リソースのＨＡＲＱプロセス数に基づいて、前記伝送キャリアそれぞれがリソース周期それぞれにおいて利用可能なＨＡＲＱプロセス番号を決定するための第１の決定サブモジュール４０２１、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット量、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定するための第２の決定サブモジュール４０２２を含む。
【０１７９】
本開示の実施例の端末によれば、前記半永続的リソースは、下りリンク半永続的スケジューリングＳＰＳリソース、上りリンク配置授権タイプ１リソース、または上りリンク配置授権タイプ２リソースである。
【０１８０】
本開示の実施例の端末によれば、前記ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数の少なくとも１つを含む。
【０１８１】
本開示の実施例の端末によれば、リソース周期それぞれにおいて利用可能なＨＡＲＱプロセスが複数ある場合、
決定モジュール４０２は、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第３の決定サブモジュール４０２３、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数、およびＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第４の決定サブモジュール４０２４を含む。
【０１８２】
本開示の実施例の端末によれば、前記半永続的リソースは、下りリンク半永続的スケジューリングＳＰＳリソースまたは上りリンク配置授権タイプ１リソースである。
【０１８３】
本開示の実施例の端末によれば、リソース周期それぞれにおいて利用可能なＨＡＲＱプロセスが複数ある場合、
決定モジュール４０２は、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第５の決定サブモジュール４０２５、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、ＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第６の決定サブモジュール４０２６を含む。
【０１８４】
本開示の実施例の端末によれば、前記半永続的リソースは、上りリンク配置授権タイプ２リソースである。
【０１８５】
本開示の実施例の端末によれば、前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、および伝送キャリアに対応するＭＡＣエンティティー識別子のうちの少なくとも１つを含む。
【０１８６】
本開示の実施例の端末によれば、前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、参考信号には、ＳＳＢおよび／またはＣＳＩ-ＲＳが含まれる。
【０１８７】
本開示の実施例の端末によれば、前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０１８８】
説明すべきことは、図５に示す端子の構造ブロック図は、本開示の実施例における端末の模式図にすぎない。本開示の実施例における端末の決定モジュールは、第１の決定サブモジュール、第２の決定サブモジュール、第３の決定サブモジュール、第４の決定サブモジュール、第５の決定サブモジュール、および第６の決定サブモジュールのうちの少なくとも１つを含む。
【０１８９】
本開示の実施例の端末によれば、半永続的リソースのリソース配置情報を取得し、前記リソース配置情報は、複数の伝送キャリアの識別子情報と、前記伝送キャリアそれぞれの識別子情報に対応するリソース割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【０１９０】
本開示の実施例は、以下のような端末をさらに提供する。メモリ、プロセッサ、およびメモリに記憶され、プロセッサ上で実行することができるコンピュータプログラムを含み、前記コンピュータプログラムが前記プロセッサによって実行されるとき、端末に用いられる上記リソース配置方法の実施例の各プロセスが実現され、同じ技術的効果が達成される。繰り返しを避けるために、ここでは詳細を再度説明しない。
【０１９１】
本開示の実施例は、以下のようなコンピュータ可読記憶媒体をさらに提供する。コンピュータプログラムが前記コンピュータ可読記憶媒体に記憶され、前記コンピュータプログラムがプロセッサによって実行されるとき、端末に用いられる上記リソース配置方法の実施例の各プロセスが実現され、同じ技術的効果が達成される。繰り返しを避けるために、ここでは詳細を再度説明しない。ただし、前記コンピュータ可読記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどである。
【０１９２】
上記目的をよりよく達成するために、図６を参照して、本開示の実施例は、以下のような端末をさらに提供する。メモリ５２０、プロセッサ５００、送受信機５１０、ユーザインターフェース５３０、バスインターフェース、およびメモリ５２０に記憶され、プロセッサ５００上で実行することができるコンピュータプログラムを含み、前記プロセッサ５００は、メモリ５２０内のプログラムを読み取り、以下のプロセスを実行するためのものである。
【０１９３】
半永続的リソースのリソース配置情報を取得し、前記リソース配置情報は、複数の伝送キャリアの識別子情報と、前記伝送キャリアそれぞれの識別子情報に対応するリソース割り当て情報とを含むこと、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定すること。
【０１９４】
そのうち、図６では、バスアーキテクチャは、任意の数の相互接続されたバスおよびブリッジを含み、具体的にプロセッサ５００によって代表される１つまたは複数のプロセッサとメモリ５２０によって代表されるメモリの各回路でリンクされてよい。バスアーキテクチャは、周辺機器、電圧レギュレータ、およびパワー管理回路などの他のさまざまな回路をリンクしてもよい。これらはすべて当技術分野でよく知られているものであるため、ここではこれ以上説明しない。バスインターフェースはインターフェースを提供する。送受信機５１０は、複数の構成要素であり、すなわち、送受信機５１０は、送信機および受信機を含み、伝送媒体上で様々な他の装置と通信するためのユニットを提供する。異なるユーザ機器について、ユーザインターフェース５３０は必要な機器に外接や内接することができるインターフェースであってもよい。接続された機器には、キーパッド、ディスプレイ、スピーカー、マイク、ジョイスティックなどが含まれるが、これらに限定されない。
【０１９５】
プロセッサ５００は、バスアーキテクチャおよび通常の処理の管理を担当し、メモリ５２０は、操作実行時にプロセッサ５００によって使用されるデータを記憶することができる。
【０１９６】
選択的に、リソース割り当て情報はリソース周期を含む。
【０１９７】
選択的に、リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む。
【０１９８】
選択的に、プロセッサ５００は、メモリ５２０内のプログラムを読み取り、さらに、以下のステップを実行するためのものになる。
【０１９９】
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定する。
【０２００】
選択的に、前記半永続的リソースは、下りリンク半永続的スケジューリングＳＰＳリソース、上りリンク配置授権タイプ２リソース、または自律上りリンクＡＵＬリソースである。
【０２０１】
選択的に、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースでの時間ドメインリソースそれぞれの占める時間ドメインの長さの少なくとも１つを含む。
【０２０２】
選択的に、プロセッサ５００は、メモリ５２０内のプログラムを読み取り、さらに、以下のステップを実行するためのものになる。
【０２０３】
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定すること。
【０２０４】
選択的に、前記半永続的リソースは、上りリンク配置授権タイプ１リソースである。
選択的に、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも１つを含む。
【０２０５】
前記リソース割り当て短周期は、前記リソース周期よりも時間の長さが短くなる。
【０２０６】
選択的に、リソース周期それぞれにおいて利用可能なＨＡＲＱプロセスが１つある場合、
プロセッサ５００は、メモリ５２０内のプログラムを読み取り、さらに、以下のステップを実行するためのものになる。
【０２０７】
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定すること。
【０２０８】
選択的に、前記半永続的リソースは、下りリンク半永続的スケジューリングＳＰＳリソース、上りリンク配置授権タイプ１リソース、または上りリンク配置授権タイプ２リソースである。
【０２０９】
選択的に、ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数の少なくとも１つを含む。
【０２１０】
選択的に、リソース周期それぞれにおいて利用可能なＨＡＲＱプロセスが複数ある場合、
プロセッサ５００は、メモリ５２０内のプログラムを読み取り、さらに、以下のステップを実行するためのものになる。
【０２１１】
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定すること、または、
【０２１２】
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数とＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、
【０２１３】
選択的に、前記半永続的リソースは、下りリンク半永続的スケジューリングＳＰＳリソース、または上りリンク配置授権タイプ１リソースである。
【０２１４】
選択的に、リソース周期それぞれにおいて利用可能なＨＡＲＱプロセスが複数ある場合、
プロセッサ５００は、メモリ５２０内のプログラムを読み取り、さらに、以下のステップを実行するためのものになる。
【０２１５】
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、または、
【０２１６】
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、ＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、
選択的に、前記半永続的リソースは、上りリンク配置授権タイプ２リソースである。
【０２１７】
選択的に、伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、および伝送キャリアに対応するＭＡＣエンティティー識別子の少なくとも一つを含む。
【０２１８】
選択的に、前記伝送キャリア識別子は、同期信号ブロックＳＳＢ識別子、チャネル状態情報参考信号ＣＳＩ-ＲＳ識別子、および参考信号に対応するポート番号識別子を少なくとも一つを含み、前記参考信号は、ＳＳＢおよび／またはＣＳＩ-ＲＳを含む。
【０２１９】
選択的に、前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０２２０】
本開示の実施例の端末によれば、半永続的リソースのリソース配置情報を取得し、前記リソース配置情報は、複数の伝送キャリアの識別子情報と、前記伝送キャリアそれぞれの識別子情報に対応するリソース割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも一つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【０２２１】
図７は、本開示の実施例による端末を実現するハードウェアの概略構造図である。端末６００は、無線周波数ユニット６０１、ネットワークモジュール６０２、音声出力ユニット６０３、入力ユニット６０４、センサ６０５、表示ユニット６０６、ユーザー入力ユニット６０７、インターフェースユニット６０８、メモリ６０９、プロセッサ６１０、および電源６１１などの構成要素を含むが、これらに限定されない。当業者が理解できることは、図７に示す端末の構造は端末を限定するものではなく、端末は、図に示されているものよりも多いまたは少ない構成要素を含み、あるいはいくつかの構成要素または異なる構成要素を組み合わせて配置されるものになる。本開示の実施例では、端末は、携帯電話、タブレットコンピュータ、ラップトップコンピュータ、ポケットコンピューター、車載端末、ウェアラブル機器、歩数計などを含むが、これらに限定されない。
【０２２２】
そのうち、プロセッサ６１０は、
半永続的リソースのリソース配置情報を取得し、前記リソース配置情報は、複数の伝送キャリアの識別子情報と、前記伝送キャリアそれぞれの識別子情報に対応するリソース割り当て情報とを含むこと、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号に関する情報の少なくとも１つを決定するためのものである。
【０２２３】
本開示の実施例の上記技術案によれば、半永続的リソースのリソース配置情報を取得し、前記リソース配置情報は、複数の伝送キャリアの識別子情報および前記伝送キャリアそれぞれの識別子情報に対応するリソース割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号との少なくとも１つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【０２２４】
理解すべきことは、本開示の実施例では、無線周波数ユニット６０１は、情報の送受信または通話中の信号の送受信に用いられ、具体的にネットワーク機器からの下りリンクデータを受信した後に、プロセッサ６１０に処理させる。また、上りリンクデータをネットワーク機器に送信する。一般に、無線周波数ユニット６０１は、アンテナ、少なくとも１つの増幅器、送受信機、カプラ、低雑音増幅器、デュプレクサなどを含むが、これらに限定されない。さらに、無線周波数ユニット６０１はまた、無線通信システムを介してネットワークおよび他の機器と通信することができる。
【０２２５】
端末は、ネットワークモジュール６０２を介して、ワイヤレスブロードバンドインターネットのアクセスをユーザに提供し、例えば、ユーザの電子メールの送受信、ウェブページの閲覧、ストリーミングメディアへのアクセスなどを支援する。
【０２２６】
音声出力ユニット６０３は、無線周波数ユニット６０１またはネットワークモジュール６０２によって受信され、またはメモリ６０９に記憶された音声データを音声信号に変換し、音声として出力することができる。さらに、音声出力ユニット６０３は、端末６００によって実行される特定の機能に関する音声出力（例えば、通話信号受信音またはメッセージ受信音など）も提供することができる。音声出力ユニット６０３は、スピーカー、ブザー、電話受信機などを含む。
【０２２７】
入力ユニット６０４は、音声またはビデオ信号を受信するためのものである。入力ユニット６０４は、グラフィックスプロセッサ（Ｇｒａｐｈｉｃｓ  Ｐｒｏｃｅｓｓｉｎｇ  Ｕｎｉｔ、ＧＰＵ）６０４１およびマイク６０４２を含でよい。グラフィックスプロセッサ６０４１は、ビデオキャプチャモードまたは画像キャプチャモードで、画像キャプチャ装置（カメラなど）によって取得された静止画像またはビデオの画像データを処理する。処理された画像フレームは、表示ユニット６０６上に表示されてよい。グラフィックスプロセッサ６０４１によって処理された画像フレームは、メモリ６０９（または別の記憶媒体）に記憶され、または無線周波数ユニット６０１やネットワークモジュール６０２を介して送信されてよい。マイク６０４２は、音を受信し、そのような音を音声データに処理することができる。処理された音声データは、電話モードで無線周波数ユニット６０１を介して移動通信ネットワーク機器に送信することができるフォーマット出力に変換することができる。
【０２２８】
端子６００は、少なくとも１つのセンサ６０５、例えば、光学センサ、運動センサ、および別のセンサをさらに含む。具体的には、光学センサは、周囲光センサおよび近接センサを含む。周囲光センサは、周囲光の明るさに基づいて表示パネル６０６１の輝度を調整することができ、近接センサは、端末６００が耳に近づくと、表示パネル６０６１および／またはバックライトをオフにすることができる。加速度センサは、モーションセンサの一種として、全方向（通常は３軸）の加速度の大きさを検出し、静止状態のとき、重力の大きさと方向を検出でき、端末の姿勢（ポートレートとランドスケープの画面切り替え、関連ゲーム、磁力計の姿勢調整など）の識別、振動識別に関連する機能（歩数計、パーカッション）などに用いられる。センサ６０５はまた、指紋センサ、圧力センサ、虹彩センサ、分子センサ、ジャイロスコープ、気圧計、湿度計、温度計、赤外線センサなどを含む。詳細はここでは説明されない。
【０２２９】
表示ユニット６０６は、ユーザによって入力された情報またはユーザに提供された情報を表示するためのものである。表示ユニット６０６は、表示パネル６０６１を含んでよく、表示パネル６０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で配置されてよい。
【０２３０】
ユーザー入力ユニット６０７は、入力桁または文字情報の受信、端末のユーザ設定および機能制御に関連するキー信号入力の生成に用いられる。具体的には、ユーザー入力ユニット６０７は、タッチパネル６０７１および他の入力機器６０７２を含む。タッチパネル６０７１は、タッチスクリーンとも呼ばれ、タッチパネル６０７１は、その上またはその近くのユーザーのタッチ操作（たとえば、ユーザが指やスタイラスペンなどの適切な物体や付属品でタッチパネル６０７１上またはタッチパネル６０７１の近く操作する）を収集することができる。タッチパネル６０７１は、タッチ検出装置およびタッチコントローラの２つの部分を含む。タッチ検出装置は、ユーザのタッチ方向を検出し、タッチ操作によってもたらす信号を検出し、その信号をタッチコントローラに送信する。タッチコントローラは、タッチ検出装置からタッチ情報を受信し、タッチ情報をタッチポイント座標に変換し、プロセッサ６１０に送信し、プロセッサ６１０から送信されたコマンドを受信して実行する。さらに、タッチパネル６０７１は、例えば、抵抗性、容量性、赤外線、または表面音波などのさまざまなタイプで実現されてよい。タッチパネル６０７１に加えて、ユーザー入力ユニット６０７は、他の入力機器６０７２をさらに含でよい。具体的には、他の入力機器６０７２は、物理的キーボード、ファンクションキー（音量調節キーまたは電源オン／オフキーなど）、トラックボール、マウス、ジョイスティックなどを含むが、これらに限定されない。詳細は、ここでは説明されない。
【０２３１】
さらに、タッチパネル６０７１は、表示パネル６０６１をカバーする。タッチパネル６０７１がその上またはその近くのタッチ操作を検出すると、プロセッサ６１０は、タッチイベントの種類を決定し、次に、プロセッサ６１０は、タッチイベントのタイプに基づいて、表示パネル６０６１上に対応する視覚的出力を提供する。図７にはある、タッチパネル６０７１および表示パネル６０６１は、２つの独立した部分として、端末の入力および出力機能を実現するものであるが、いくつかの実施例では、タッチパネル６０７１および表示パネル６０６１を統合して、端末の入力および出力機能を実施してよい。これは、ここでは特に限定されない。
【０２３２】
インターフェースユニット６０８は、外部装置と端末６００とが接続されたインターフェースである。例えば、外部装置は、有線または無線のヘッドセットポート、外部電源（またはバッテリ充電器）ポート、有線または無線のデータポート、メモリカードポート、識別モジュールを有する装置を接続するためのポート、音声入出力（Ｉ／Ｏ）ポート、ビデオＩ／Ｏポート、イヤホンポートなどを含んでよい。インターフェースユニット６０８は、外部装置からの入力（例えば、データ情報または電力）を受信するとともに、受信した入力を端末６００内の１つまたは複数の要素に伝送するために用いられ、または端末６００および外部装置間でデータを伝送するために用いられる。
【０２３３】
メモリ６０９は、ソフトウェアプログラムおよび様々なデータを記憶するために用いられる。メモリ６０９は、主に、プログラム記憶領域およびデータ記憶領域を含む。そのうち、プログラム記憶領域は、オペレーティングシステム、少なくとも１つの機能に必要なアプリケーション（音声再生機能や画像再生機能など）などを記憶することができる。データ記憶領域は、携帯電話の使用に基づいて作成されたデータ（音声データや電話帳など）などを記憶することができる。さらに、メモリ６０９は、高速ランダムアクセスメモリを含んでよく、不揮発性メモリ、例えば少なくとも一つの磁気ディスク記憶デバイス、フラッシュ記憶デバイス、または別の揮発性ソリッドステート記憶デバイスを含んでもよい。
【０２３４】
プロセッサ６１０は、端末の制御センターであり、様々なインターフェースおよびラインを使用して端末の各構成要素に接続される。メモリ６０９に記憶されたソフトウェアプログラムおよび／またはモジュールを運行または実行し、メモリ６０９に記憶されたデータを呼び出し、端末の様々な機能と処理データを実行することにより、端末の全体的な監視を実行する。プロセッサ６１０は、１つまたは複数の処理ユニットを含んでよい。選択的に、アプリケーションプロセッサおよびモデムプロセッサをプロセッサ６１０に統合することができる。そのうち、アプリケーションプロセッサは、主にオペレーティングシステム、ユーザーインターフェイス、アプリケーションプログラムなどを処理する。モデムプロセッサは主に無線通信を処理する。上記モデムプロセッサがプロセッサ６１０に統合されていないことも可能であることが理解できる。
【０２３５】
端子６００は、すべての構成要素に電力を供給する電源６１１（例えば、セル）をさらに含む。選択的に、電源６１１は、パワー管理システムを介してプロセッサ６１０に論理的に接続できる。このように、パワー管理システムを使用することにより、充電管理、放電管理、電力消費管理などの機能が実現される。
【０２３６】
さらに、端末６００は、示されていないいくつかの機能モジュールを含む。詳細はここでは説明されない。
【０２３７】
図８に示すように．本開示の実施例は、以下のモジュールを含むネットワーク機器７００をさらに提供する。
【０２３８】
半永続的リソースのリソース配置情報を送信するためのものであり、前記リソース配置情報は、複数の伝送キャリアの識別子情報および前記伝送キャリアそれぞれの識別子情報に対応するリソース割り当て情報を含む送信モジュール７０１。
【０２３９】
本開示の実施形態におけるネットワーク機器によれば、端末に半永続的リソースが配置されたとき、異なる伝送キャリアに異なる半永続的リソースが配置されることにより、マルチ伝送キャリアの場合の半永続的リソースの利用率を向上しつつ、データ送信時のスケジューリングによる遅延を低減した。
【０２４０】
本開示の実施例におけるネットワーク機器によれば、前記リソース割り当て情報は、リソース周期を含む。
【０２４１】
本開示の実施例におけるネットワーク機器によれば、前記リソース割り当て情報は、さらに、リソース周期それぞれにおける前記伝送キャリアの半永続的リソースの割り当て情報と、前記伝送キャリアの半永続的リソースのＨＡＲＱプロセス数の少なくとも１つを含む。
【０２４２】
本開示の実施例におけるネットワーク機器によれば、前記半永続的リソースは、下りリンク半永続的スケジューリングＳＰＳリソース、上りリンク配置授権タイプ２リソース、または自律上りリンクＡＵＬリソースである。
【０２４３】
本開示の実施例におけるネットワーク機器によれば、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースでの時間ドメインリソースそれぞれの占める時間ドメインの長さの少なくとも１つを含む。
【０２４４】
本開示の実施例におけるネットワーク機器によれば、前記半永続的リソースは、上りリンク配置授権タイプ１リソースである。
【０２４５】
本開示の実施例におけるネットワーク機器によれば、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、リソース割り当て短周期の少なくとも１つを含み、
前記リソース割り当て短周期は、前記リソース周期よりも時間の長さが短くなる。
【０２４６】
本開示の実施例におけるネットワーク機器によれば、前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、および伝送キャリアに対応するＭＡＣエンティティー識別子のうちの少なくとも１つを含む。
【０２４７】
本開示の実施例におけるネットワーク機器によれば、前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、前記参考信号は、ＳＳＢおよび／またはＣＳＩ-ＲＳを含む。
【０２４８】
本開示の実施例におけるネットワーク機器によれば、前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０２４９】
本開示の実施例におけるネットワーク機器によれば、端末に半永続的リソースが配置されたとき、異なる伝送キャリアに異なる半永続的リソースが配置されことにより、マルチ伝送キャリアの場合の半永続的リソースの利用率を向上しつつ、データ送信時のスケジューリングによる遅延を低減した。
本開示の実施例は、以下のようなネットワーク機器をさらに提供する。メモリ、プロセッサ、およびメモリに記憶され、プロセッサ上で実行することができるコンピュータプログラムを含み、前記コンピュータプログラムが前記プロセッサによって実行されるとき、ネットワーク機器に用いられる上記リソース配置方法の方法実施例の各プロセスが実現され、同じ技術的効果が達成される。繰り返しを避けるために、ここでは詳細を再度説明しない。
【０２５０】
本開示の実施例は、以下のようなコンピュータ可読記憶媒体をさらに提供する。コンピュータプログラムが前記コンピュータ可読記憶媒体に記憶され、前記コンピュータプログラムが前記プロセッサによって実行されるとき、ネットワーク機器に用いられる上記リソース配置方法の実施例の各プロセスが実現され、同じ技術的効果が達成される。繰り返しを避けるために、ここでは詳細を再度説明しない。ただし、前記コンピュータ可読記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどである。
【０２５１】
図９に示すように．本開示の実施例は、プロセッサ８０１、送受信機８０２、メモリ８０３、およびバスインターフェースを含むネットワーク機器８００をさらに提供し、そのうち、
プロセッサ８０１は、メモリ８０３内のプログラムを読み取り、以下のプロセスを実行するために用いられる。
【０２５２】
半永続的リソースのリソース配置情報を送信し、前記リソース配置情報は、複数の伝送キャリアの識別子情報と、前記伝送キャリアそれぞれの識別子情報に対応するリソース割り当て情報とを含む。
図９では、バスアーキテクチャは、任意の数の相互接続されたバスおよびブリッジを含み、具体的にプロセッサ８０１によって代表される１つまたは複数のプロセッサおよびメモリ８０３によって代表されるメモリの各回路でリンクされてよい。バスアーキテクチャは、周辺機器、電圧レギュレータ、およびパワー管理回路などの他のさまざまな回路をリンクしてもよい。これらはすべて当技術分野でよく知られているものであるため、ここではこれ以上説明しない。バスインターフェースはインターフェースを提供する。送受信機８０２は、送信機および受信機を含む複数の構成要素であり、伝送媒体上で様々な他の装置と通信するためのユニットを提供する。
【０２５３】
プロセッサ８０１は、バスアーキテクチャおよび通常の処理の管理を担当し、メモリ８０３は、操作実行時にプロセッサ８０１によって使用されるデータを記憶することができる。
【０２５４】
選択的に、リソース割り当て情報はリソース周期を含む。
選択的に、前記リソース割り当て情報は、リソース周期それぞれにおける前記伝送キャリアの半永続的リソースの割り当て情報と、前記伝送キャリアの半永続的リソースのＨＡＲＱプロセス数の少なくとも１つを含む。
【０２５５】
選択的に、前記半永続的リソースは、下りリンク半永続的スケジューリングＳＰＳリソース、上りリンク配置授権タイプ２リソース、または自律上りリンクＡＵＬリソースである。
【０２５６】
選択的に、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースでの時間ドメインリソースそれぞれの占める時間ドメインの長さの少なくとも１つを含む。
【０２５７】
選択的に、前記半永続的リソースは、上りリンク配置授権タイプ１リソースである。
【０２５８】
選択的に、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも１つを含む。
【０２５９】
前記リソース割り当て短周期は、前記リソース周期よりも時間の長さが短くなる。
【０２６０】
選択的に、前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、および伝送キャリアに対応するＭＡＣエンティティー識別子のうちの少なくとも１つを含む。
【０２６１】
選択的に、前記伝送キャリア識別子は、同期信号ブロックＳＳＢ識別子、チャネル状態情報参考信号ＣＳＩ-ＲＳ識別子、および参考信号に対応するポート番号識別子を少なくとも一つを含み、前記参考信号は、ＳＳＢおよび／またはＣＳＩ-ＲＳを含む。
【０２６２】
選択的に、前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０２６３】
本開示の実施例におけるネットワーク機器によれば、端末に半永続的リソースが配置されたとき、異なる伝送キャリアに異なる半永続的リソースが配置されることにより、マルチ伝送キャリアの場合の半永続的リソースの利用率を向上しつつ、データ送信時のスケジューリングによる遅延を低減した。
【０２６４】
説明すべきことは、明細書における「含む」、「包含」という用語、またはほかの任意の変形は、非排他性の「包含」を意図的にカバーすることにより、一連の要素を含むプロセス、方法、物品または装置はそれらの要素を含むだけでなく、明確にリストされていない他の要素も含み、またはそのようなプロセス、方法、物品、または装置に固有の要素も含むようになる。それ以上の制限がない限り、「を一つ含む…」という文句によって限定された要素は、この要素を含むプロセス、方法、物品、または装置から排除されず、別の同一の要素も存在する。
【０２６５】
以上の実施方式の説明によれば、当業者が明確に理解すべきことは、上記実施例方法が、ソフトウェアと必要な共通のハードウェアプラットフォームと組み合わせて実現され、当然ながら、代わりにハードウェアで実現されてもよいが、多くの場合に、前者がより良い実施方式である。そのような理解に基づいて、本開示の技術案は、本質的には、または先行技術に寄与する部分は、ソフトウェア製品の形で実施できる。このコンピュータソフトウェア製品は、一つの記憶媒体（ＲＯＭ／ＲＡＭ、磁気ディスク、または光ディスクなど）に記憶され、一台の端末（携帯電話、コンピューター、サーバー、エアコン、またはネットワーク機器などであってよい）が本開示の各実施例に記載された方法を実行するようにいくつかの指令が含まれている。
【０２６６】
以上は、添付の図面を結合して本開示の実施例を説明したが、本開示は、上記の具体的な実施方式に限定されない。上記の具体的な実施方式は、単なる例示であり、限定的ではない。当業者は、本開示の示唆で、本開示の主旨および特許請求の範囲の保護範囲から逸脱することなく、他の多くの方式を開発することができ、そのようなすべての方式は、本開示の保護範囲に含まれる。
【図１】
2022500950.tif 000014
【図２】
2022500950.tif 000015
【図３】
2022500950.tif 000016
【図４】
2022500950.tif 000017
【図５】
2022500950.tif 000018
【図６】
2022500950.tif 000019
【図７】
2022500950.tif 000020
【図８】
2022500950.tif 000021
【図９】
2022500950.tif 000022
【手続補正書】
【提出日】令和3年3月19日(2021.3.19)
【手続補正１】
【補正対象書類名】明細書
【補正対象項目名】全文
【補正方法】変更
【補正の内容】
【発明の詳細な説明】
【技術分野】
【０００１】
（関連出願の相互参照）
この出願は、２０１８年９月２１日に中国で提出された中国特許出願Ｎｏ．２０１８１１１１０７４４．３を基礎として、この出願から優先の利益を享受する。同出願の内容の全ては、ここに参照として取り込まれる。
【０００２】
本開示は、通信アプリケーションの技術分野、特に、リソース配置方法、端末、およびネットワーク機器に関する。
【背景技術】
【０００３】
第５世代（５  Ｇｅｎｅｒａｔｉｏｎ、５Ｇ）移動通信システムにおいては、２０Ｇｂｐｓの下りリンク伝送レートと１０Ｇｂｐｓの上りリンク伝送レートの目標を達成するために、高周波通信と大規模のアンテナ技術が導入されることになる。高周波通信では、より広いシステム帯域幅とより小さなアンテナサイズが提供されて、基地局とＵＥ（ユーザー端末）への大規模のアンテナの展開により有利になる。基地局側でのデータ送受信にマルチビーム（Ｍｕｌｔｉ−ｂｅａｍ）またはマルチ送受信ポイント（Ｍｕｌｔｉ−ＴＲＰ  Ｔｒａｎｓｍｉｓｉｓｏｎ  Ｐｏｉｎｔ）を使用し、ＵＥ側でのマルチビームまたはマルチＴＲＰ伝送ポイントの送受信が広く適用されることになる。
【０００４】
関連技術の５Ｇシステムにおいて、ＵＥに半永続的データ送信リソースを配置してよく、それは、下りリンク半永続的スケジューリング（ＤＬ  Ｓｅｍｉ−Ｐｅｒｓｉｓｔｅｎｔ  Ｓｃｈｅｄｕｌｉｎｇ、ＤＬ  ＳＰＳ）、上りリンク配置授権タイプ１（ＵＬ  ｃｏｎｆｉｇｕｒｅｄ  ｇｒａｎｔ  Ｔｙｐｅ  １）、上りリンク配置授権タイプ２（ＵＬ  ｃｏｎｆｉｇｕｒｅｄ  ｇｒａｎｔ  Ｔｙｐｅ  ２）、および自律上りリンク（Ａｕｔｏｎｏｍｏｕｓ  Ｕｐｌｉｎｋ、ＡＵＬ）、を含む。
【０００５】
複数の異なるビームまたは伝送ポイントを用いてＵＥへのデータ送受信を行う場合、半永続的リソースをどのように配置するかについて明確な対策はまだない。
【発明の概要】
【０００６】
本開示の目的は、複数の異なるビームまたは伝送ポイントを用いてＵＥへのデータ送受信を行う場合、半永続的リソースをどのように配置するかについて明確な対策はまだないという問題を解決するためのリソース配置方法、端末、およびネットワーク機器を提供することである。
【０００７】
第１の局面の本開示の実施例は、
半永続的リソースのリソース配置情報を取得し、前記リソース配置情報は、複数の伝送キャリアの識別子情報と、前記伝送キャリアそれぞれの識別子情報に対応するリソース割り当て情報とを含むこと、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することを含む、リソース配置方法を提供する。
第２の局面の本開示の実施例は、
半永続的リソースのリソース配置情報を送信し、前記リソース配置情報は、複数の伝送キャリアの識別子情報と、前記伝送キャリアそれぞれの識別子情報に対応するリソース割り当て情報とを含む、リソース配置方法をさらに提供する。
第３の局面の本開示の実施例は、
半永続的リソースのリソース配置情報を取得するためのものであり、前記リソース配置情報は、複数の伝送キャリアの識別子情報と、前記伝送キャリアそれぞれの識別子情報に対応するリソース割り当て情報とを含む取得モジュール、および、
前記半永続的リソースのリソース配置情報に基づいて、前記伝送キャリアがリソース周期それぞれにおいて利用可能なリソース位置情報、およびリソース周期それぞれにおいて利用可能なハイブリッド自動再送要求ＨＡＲＱプロセス番号のうちの少なくとも１つを決定するための決定モジュールを含む、端末をさらに提供する。
【０００８】
第４の局面の本開示の実施例は、
メモリ、プロセッサ、およびメモリに記憶され、プロセッサ上で実行することができるコンピュータープログラムを含み、前記コンピュータプログラムが前記プロセッサによって実行されるとき、第１の局面に記載のリソース配置方法のステップが実現される、端末をさらに提供する。
【０００９】
第５の局面の本開示の実施例は、
半永続的リソースのリソース配置情報を送信するためのものであり、前記リソース配置情報は、複数の伝送キャリアの識別子情報および前記伝送キャリアそれぞれの識別子情報に対応するリソース割り当て情報を含む送信モジュールを具備する、ネットワーク機器をさらに提供する。
【００１０】
第６の局面の本開示の実施例は、
メモリ、プロセッサ、およびメモリに記憶され、プロセッサ上で実行することができるコンピュータプログラムを含み、前記コンピュータプログラムが前記プロセッサによって実行されるとき、第２の局面に記載のリソース配置方法のステップが実現される、ネットワーク機器をさらに提供する。
【００１１】
第７の局面の本開示の実施例は、
コンピュータプログラムが記憶され、前記コンピュータプログラムがプロセッサによって実行されるとき、第１の局面に記載のリソース配置方法のステップまたは第２の局面に記載のリソース配置方法のステップが実現される、コンピュータ可読記憶媒体をさらに提供する。
【００１２】
本開示の実施例は、以下の有益な効果を有する。
【００１３】
本開示の実施例における技術案によれば、半永続的リソースのリソース配置情報を取得し、前記リソース配置情報は、複数の伝送キャリアの識別子情報および前記伝送キャリアそれぞれの識別子情報に対応するリソース割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【００１４】
本開示の実施例における技術案をより明確に説明するために、以下に、本開示の実施例を説明するために必要な添付の図面を簡単に紹介する。明らかに、以下に説明された添付図面は、本開示の単なるいくつかの実施例に過ぎず、当業者は、これらの添付の図面から他の図面を導き出すことができる。
【図面の簡単な説明】
【００１５】
【図１】図１は、本開示の実施例に適用されるネットワークシステムの構造図。
【図２】図２は、本開示の実施例のリソース配置方法のフローチャート１。
【図３】図３は、本開示の実施例のリソース配置方法のフローチャート２。
【図４】図４は、本開示の実施例の端末のモジュールの模式図のその１。
【図５】図５は、本開示の実施例の端末のモジュールの模式図のその２。
【図６】図６は、本開示の実施例の端末の構造ブロック図のその１。
【図７】図７は、本開示の実施例の端末の構造ブロック図のその２。
【図８】図８は、本開示の実施例のネットワーク機器のモジュールの模式図。
【図９】図９は、本開示の実施例のネットワーク機器の構造ブロック図。
【発明を実施するための形態】
【００１６】
本開示の実施例は、添付の図面を参照して以下により詳細に説明される。添付図面は本開示の実施例を示しているが、本開示は様々な形態で実施することができ、ここに記載の実施例によって限定されるべきではないと理解される。代わりに、これらの実施例は、本開示がよりよく理解でき、本開示の範囲が技術者に伝達できるように提供されるものである。
【００１７】
本出願の明細書および特許請求の範囲において、「含む」、「有する」、およびそれらの任意の変形は、非排他性の「包含」を意図的にカバーするものであり、例えば、一連のステップ又はユニットを含むプロセス、方法、システム、製品、または機器は、必ずしも明示的にリストされたステップまたはユニットに限定されないが、明示的にリストされていない、またはそのようなプロセス、方法、製品、または機器に固有の他のステップまたはユニットを含める。明細書および特許請求の範囲における「および／または」の使用は、接続された対象の少なくとも１つを表す。
【００１８】
以下の説明に示される例は、特許請求に記載される範囲、適用性、または配置を制限することを意図しない。検討された要素の機能および配置は、本開示の範囲から逸脱することなく変更されることが可能である。さまざまな例を省略したり、適切に置き換えたり、さまざまな手順やコンポーネントを追加したりすることができる。例えば、記載された方法は、記載された順序とは異なる順序で実行され、そしてステップは、追加され、省略され、または組み合わせることが可能である。さらに、いくつかの例を参照して説明された特徴は、他の例で組み合わせることができる。
【００１９】
図１を参照して、図１は本開示の実施例に適用されるネットワークシステムの構造図である。図１に示すように、ユーザ端末１１および基地局１２を含む。ただし、ユーザ端末１１は、ユーザ機器（Ｕｓｅｒ  Ｅｑｕｉｐｍｅｎｔ、ＵＥ）であってよく、例えば、携帯電話、タブレット・コンピュータ（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末（ｐｅｒｓｏｎａｌ  ｄｉｇｉｔａｌ  ａｓｓｉｓｔａｎｔ、ＰＤＡ）、モバイルインターネット機器（Ｍｏｂｉｌｅ  Ｉｎｔｅｒｎｅｔ  Ｄｅｖｉｃｅ、ＭＩＤ）、またはウェアラブル機器（Ｗｅａｒａｂｌｅ  Ｄｅｖｉｃｅ）、などの端末側機器であってよい。本開示の実施例では、特定のタイプのユーザ端末１１に限定されないことに留意したい。基地局１２は、５Ｇ及び以降のバージョンの基地局（例えば、ｇＮＢ、５Ｇ  ＮＲ  ＮＢ）、または別の通信システムの基地局、またはノードＢ、進化型ノードＢ、送受信ポイント（ｔｒａｎｓｍｉｔｔｉｎｇ  ｒｅｃｅｉｖｉｎｇ  ｐｏｉｎｔ、ＴＲＰ）、または前記技術分野における別の用語であってよい。同じ技術的効果を達成できれば、前記基地局は特定の技術用語に限定されない。本開示の実施例において、５Ｇ基地局のみを例としたが、特定のタイプの基地局１２は限定されないことに留意したい。
【００２０】
図２に示すように．本開示の実施例は、端末に用いられるリソース配置方法を提供する。この方法は、以下のステップを含む。
【００２１】
ステップ２０１：半永続的リソースのリソース配置情報を取得し、前記リソース配置情報は、複数の伝送キャリアの識別子情報と、前記伝送キャリアそれぞれの識別子情報に対応するリソース割り当て情報を含む。
【００２２】
上記伝送キャリアは、ビームまたは伝送ポイントを含む。このリソース割り当て情報は、リソース周期を含む。
【００２３】
伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル識別子、および伝送キャリアに対応するＭＡＣエンティティー識別子の少なくとも１つを含む。
【００２４】
例えば、上記伝送キャリアに対応するセル識別子は、具体的にはセル１、上記伝送キャリアに対応する周波数ビン識別子は具体的には周波数ビン１、上記伝送キャリアに対応する帯域幅部分ＢＷＰ識別子は、具体的にはＢＷＰ＿１、上記伝送キャリアに対応するＭＡＣエンティティー識別子は、具体的にはＭＡＣ＿１であってよい。
【００２５】
さらに、前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、参考信号は、ＳＳＢおよび／またはＣＳＩ-ＲＳを含む。
【００２６】
ＳＳＢ識別子および／またはＣＳＩ-ＲＳ識別子に加えて、上記伝送キャリア識別子は、別の信号識別子であってよく、ここで特に限定されない。
【００２７】
上記参考信号に対応するポート番号識別子は、具体的には、ｐｏｒｔ＿１であってよく、この参考信号は、ＳＳＢおよびＣＳＩ-ＲＳに加え、別の参考信号であってよいが、ここでは特に限定されない。
【００２８】
前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【００２９】
ただし、制御チャネルタイプ識別子は、具体的にはマスタセルＰＣｅｌｌのＰＤＣＣＨ＿１であってよく、制御チャネルのリソース位置識別子は、制御リソースセット（ＣＯＲＥＳＥＴ）および／または検索空間（ｓｅａｒｃｈ  ｓｐａｃｅ）識別子であってよく、制御チャネルの参考信号識別子は、ＳＳＢ識別子および／またはＣＳＩ-ＲＳ識別子であってよい。
【００３０】
ステップ２０２：前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定する。
【００３１】
選択的に、前記半永続的リソースのリソース配置情報に基づいて、前記伝送キャリアがリソース周期それぞれにおいて利用可能なリソース位置情報、およびリソース周期それぞれにおいて利用可能なハイブリッド自動再送要求ＨＡＲＱプロセス番号を決定する。
【００３２】
具体的には、下りリンク半永続的スケジューリングＳＰＳリソース、上りリンク配置授権タイプ２リソース、または自律上りリンクＡＵＬリソースについて、前記伝送キャリアがリソース周期それぞれに利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【００３３】
上りリンク配置授権タイプ１リソースについて、前記半永続的リソースのリソース配置情報に基づいて、前記伝送キャリアがリソース周期それぞれにおいて利用可能なリソース位置情報を決定することは、
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【００３４】
さらに、下りリンクの半永続的スケジューリングＳＰＳリソース、上りリンク配置授権タイプ１リソース、または上りリンク配置授権タイプ２リソースについて、リソース周期それぞれにいて利用可能なＨＡＲＱプロセスが１つある場合、
前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定することを含む。
【００３５】
さらに、下りリンク半永続的スケジューリングＳＰＳリソースまたは上りリンク配置授権タイプ１リソースについて、リソース周期それぞれにおいて利用可能なＨＡＲＱプロセスが複数ある場合、
前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数とＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定することを含む。
【００３６】
さらに、上りリンク配置授権タイプ２リソースについて、リソース周期それぞれにおいて利用可能なＨＡＲＱプロセスが複数ある場合、
前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、ＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定することを含む。
【００３７】
本開示の実施例のリソース配置方法によれば、半永続的リソースのリソース配置情報を取得し、前記リソース配置情報は、複数の伝送キャリアの識別子情報および前記伝送キャリアそれぞれの識別子情報に対応するリソースの割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【００３８】
さらに、一つの選択的な実現方式として、前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む。
【００３９】
ここでは、前記半永続的リソースは、下りリンク半永続的スケジューリングＳＰＳリソース、上りリンク配置授権タイプ２リソース、または自律上りリンクＡＵＬリソースである。
【００４０】
具体的には、前記半永続的リソースが下りリンク半永続的スケジューリングＳＰＳリソースであり、リソース周期それぞれにおいて利用可能なＨＡＲＱプロセスが１つある場合、前記リソース割り当て情報はさらに、リソース周期それぞれにおける前記伝送キャリアの半永続的リソースの割り当て情報を含む。
【００４１】
前記半永続的リソースが下りリンク半永続的スケジューリングＳＰＳリソースであり、リソース周期それぞれにおいて利用可能なＨＡＲＱプロセスが複数ある場合、前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む。
【００４２】
別の一つの選択的な実現方式として、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースにおける時間ドメインリソースそれぞれの占める時間ドメインの長さの少なくとも１つを含む。
【００４３】
ここでは、前記半永続的リソースは、上りリンク配置授権タイプ１リソースである。
【００４４】
例えば、上記時間ドメインのオフセット量は、具体的には１０つのＯＦＤＭシンボルであってよく、ＳＦＮ＝０の位置については、伝送キャリアの半永続的リソースは、具体的には１０番目のシンボルであってよい。上記時間ドメインリソースそれぞれの占める時間ドメインの長さは、具体的には２つのシンボルであってよい。
【００４５】
ただし、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも一つを含み、前記リソース割り当て短周期は、前記リソース周期よりも時間の長さが短くなる。
【００４６】
たとえば、リソース割り当ての開始位置情報は、具体的にはタイムスロット２で、アクティブ化位置に対するオフセット量は２タイムスロットであってよい。リソース割り当てビットマップｂｉｔｍａｐは、具体的には１０ｂｉｔでマークされた１０つのタイムスロットの位置であってよく、ただし、値１のｂｉｔでマークされたタイムスロット位置のリソースは、端末に割り当てられたリソースとして決定される。リソース割り当ての時間の長さは、具体的には、周期が４０ｍｓのリソースに対して、リソースの開始位置から１０ｍｓのリソース割り当ての時間の長さであってよい。リソース割り当て短周期は具体的には、周期が４０ｍｓのリソースに対して、４０ｍｓごとに１０ｍｓのリソース割り当ての時間の長さがあり、１０ｍｓ以内にリソース割り当て短周期が２ｍｓであることであってよい。
【００４７】
一番目の選択的な実現方式として、前記半永続的リソースは下りリンク半永続的スケジューリングＳＰＳリソースであり、リソース周期それぞれにおいて利用可能なＨＡＲＱプロセスが１つある。
下りリンク半永続的スケジューリングＳＰＳリソースは、ネットワーク側で周期的な下りリンクリソースが配置され、各周期に１つの上りリンクリソースが割り当てられる。ネットワーク側は、物理的下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）を通じてシグナリングを制御して、このＳＰＳリソースの使用をアクティブ化または非アクティブ化にする。このＰＤＣＣＨ制御シグナリングは、アクティブ化されたリソースの位置を指示し、たとえば、開始システムフレーム番号（ＳＦＮｓｔａｒｔ  ｔｉｍｅ）と開始タイムスロット番号（ｓｌｏｔｓｔａｒｔ  ｔｉｍｅ）がリソースの開始位置である。
【００４８】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定することを含む。
【００４９】
具体的には、上記アクティブ化シグナリングは、ＰＤＣＣＨアクティブ化シグナリングであってよく、端末は、このアクティブ化シグナリングに基づいて、半永続的リソースの開始位置、例えば、ＳＦＮｓｔａｒｔ  ｔｉｍｅおよびｓｌｏｔｓｔａｒｔ  ｔｉｍｅを決定する。端末は、次の式を使用して、上記リソース配置情報とこの半永続的リソースの開始位置に基づいて、前記伝送キャリアがリソース周期それぞれにおいて開始で利用可能なリソース位置情報を決定する。
【数１】
2022500950.tif 000023
ただし、ＣＵＲＲＥＮＴ＿ｓｌｏｔは現在のタイムスロット番号を表し、
【数２】
2022500950.tif 000024
ＮＳｌｏｔｎｕｍｂｅｒ  ｉｎ  ｔｈｅ  ｆｒａｍｅは、現在のシステムフレームのタイムスロット番号である。ＳＦＮは、現在のシステムフレーム番号を表す。ＮＳｌｏｔｓＰｅｒＦｒａｍｅは、システムフレームあたりのタイムスロット数を表す。ＳＦＮｓｔａｒｔ  ｔｉｍｅは、開始システムフレーム番号を表す。ｓｌｏｔｓｔａｒｔ  ｔｉｍｅは、開始タイムスロット番号を表す。Ｎは、Ｎ番目のリソースを表す。Ｔｐｅｒｉｏｄｉｃｉｔｙは、無線リソース制御ＲＲＣメッセージ配置のリソース周期を表す。
【００５０】
あるいは、前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定する。
【００５１】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の情報の少なくとも一つを含み、前記リソース割り当て短周期は、前記リソース周期よりも時間の長さが短くなる。
【００５２】
端末は具体的に、上記割り当て情報に基づいて、以下の方法を使用して、伝送キャリアがリソース周期それぞれにおいて利用可能なリソース位置情報を決定することができる。
【００５３】
方法１：上記割り当て情報はリソース割り当てｂｉｔｍａｐを含み、リソース割り当てｂｉｔｍａｐ＝１０ｂｉｔｓ  ｂｉｔｍａｐである。このとき、利用可能なリソース位置は、開始位置から始まる１０ｂｉｔから決定される。
【００５４】
方法２：上記割り当て情報は、リソース割り当ての時間の長さ、たとえば１０ｍｓを含む。このとき、開始位置から始まる１０ｍｓ以内のリソースが、伝送キャリアがリソース周期それぞれにおいて利用可能なリソースとして決定される。
【００５５】
方法３：上記割り当て情報は、リソース割り当ての時間の長さ、例えば１０ｍｓと、リソース割り当て短周期、例えば２ｍｓを含む。このとき、開始位置から始まる１０ｍｓ以内に、２ｍｓごとに１つの利用可能なリソースが端末に割り当てられる。
【００５６】
この一番目の選択的な実現方式では、上記ステップ２０２において、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、リソース周期、現在のタイムスロット番号、システムフレームあたりのタイムスロット数、および半永続的リソースのＨＡＲＱプロセス数に基づいて、前記伝送キャリアそれぞれがリソース周期それぞれにおいて利用可能なＨＡＲＱプロセス番号を決定することを含む。
【００５７】
具体的には、前記伝送キャリアそれぞれがリソース周期それぞれにおいて利用可能なＨＡＲＱプロセス番号は、次の式を使用して決定される。
【数３】
2022500950.tif 000025
ただし、ＮＨＡＲＱ−Ｐｒｏｃｅｓｓｅｓは、ＲＲＣメッセージ配置のＳＰＳリソースのＨＡＲＱプロセス数を表す。
ＨＡＲＱ  Ｐｒｏｃｅｓｓ  ＩＤは、伝送キャリアがリソース周期それぞれにおいて利用可能なＨＡＲＱプロセス番号を表す。
【００５８】
あるいは、異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定する。
【００５９】
具体的には、前記伝送キャリアそれぞれがリソース周期それぞれにおいて利用可能なＨＡＲＱプロセス番号は、次の式を使用して決定される。
【数４】
2022500950.tif 000026
ただし、ＯｆｆｓｅｔＨＡＲＱ  Ｐｒｏｃｅｓｓ  ＩＤは、ＨＡＲＱプロセス識別子のオフセット量を表す。
【００６０】
上記ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数のうちの少なくとも１つを含む。
【００６１】
選択的に、この一番目の選択的な実現方式では、ネットワーク機器によって端末が利用可能なＨＡＲＱ配置情報が配置されまたはプロトコルで約束される。このＨＡＲＱ配置情報は、半永続的リソースのＨＡＲＱプロセス数を含む。例えば、半永続的リソースの利用可能なＨＡＲＱプロセスの総数は４つである。
【００６２】
この一番目の選択的な実現方式では、ネットワーク機器は、上記と同じ方法で前記伝送キャリアがリソース周期それぞれにおいて利用可能なリソース位置情報と、リソース周期それぞれにおいて利用可能なハイブリッド自動再送要求ＨＡＲＱプロセス番号を決定し、決定された利用可能なリソース位置情報および利用可能なＨＡＲＱプロセス番号に基づいてデータを送信する。端末は対応する位置でネットワーク機器から送信されたデータを受信する。
【００６３】
選択的に、ネットワーク機器は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【００６４】
二番目の選択的な実現方式として、前記半永続的リソースは、下りリンク半永続的スケジューリングＳＰＳリソースであり、リソース周期それぞれにおいて利用可能なＨＡＲＱプロセスが複数ある。
【００６５】
ここで、下りリンク半永続的スケジューリングＳＰＳリソースは、ネットワーク側によって周期的な上りリンクリソースが配置され、各周期に１つの上りリンクリソースが割り当てられる。ネットワーク側は、物理下りリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）制御シグナリングを使用して、このＳＰＳリソースの使用をアクティブ化または非アクティブ化にする。このＰＤＣＣＨ制御シグナリングは、アクティブ化されたリソースの位置を指示し、たとえば、開始システムフレーム番号（ＳＦＮｓｔａｒｔ  ｔｉｍｅ）と開始タイムスロット番号（ｓｌｏｔｓｔａｒｔ  ｔｉｍｅ）がリソースの開始位置である。
【００６６】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【００６７】
ここで、この二番目の選択的な実現方式では、伝送キャリアがリソース周期それぞれにおいて利用可能なリソース位置情報を決定する具体的な実現プロセスは、上記一番目の選択的な実現方式では伝送キャリアがリソース周期それぞれにおいて利用可能なリソース位置情報を決定する具体的な実現プロセスと同じであるが、詳細はここで再び説明されない。
【００６８】
この二番目の選択的な実現方式では、上記ステップ２０２において、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定することを含む。
具体的には、リソース周期それぞれにおける前記伝送キャリアそれぞれの開始リソースのＨＡＲＱプロセス番号は、最初に次の式を使用して決定される。
【数５】
2022500950.tif 000027
【００６９】
次に、残りのＨＡＲＱプロセス番号には、リソース周期の番号とリソース番号に基づいて順番に割り当てられる。
【００７０】
ただし、ＮＨＡＲＱ−ＰｒｏｃｅｓｓｅｓＰｅｒＰｅｒｉｏｄは、リソース周期それぞれにおいて利用可能なＨＡＲＱプロセス数を表す。
【００７１】
たとえば、Ｔｐｅｒｉｏｄｉｃｉｔｙ＝１０、ＮＨＡＲＱ−Ｐｒｏｃｅｓｓｅｓ＝４、ＮＨＡＲＱ−ＰｒｏｃｅｓｓｅｓＰｅｒＰｅｒｉｏｄ＝２、ネットワーク側は、各周期に２つのリソース位置が配置された。この場合、第１のリソース周期の第１のリソースの「ＨＡＲＱプロセス番号＝１」であり、第２のリソース周期の第１のリソースの「ＨＡＲＱプロセス番号＝２」であり、第３のリソース周期の第１のリソースの「ＨＡＲＱプロセス番号＝１」であり、第４のリソース周期の第１のリソースの「ＨＡＲＱプロセス番号＝２」であると類推する。第１のリソース周期の第２のリソースの「ＨＡＲＱプロセス番号＝３」であり、第２のリソース周期の第２のリソースの「ＨＡＲＱプロセス番号＝４」であり、第３のリソース周期の第２のリソースの「ＨＡＲＱプロセス番号＝３」であり、第４のリソース周期の第２のリソースの「ＨＡＲＱプロセス番号＝４」であると類推する。
あるいは、異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数、およびＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定する。
【００７２】
具体的には、リソース周期それぞれにおける前記伝送キャリアそれぞれの開始リソースのＨＡＲＱプロセス番号は、次の式を使用して決定される。
【数６】
2022500950.tif 000028
ただし、ＯｆｆｓｅｔＨＡＲＱ  Ｐｒｏｃｅｓｓ  ＩＤは、ＨＡＲＱプロセス識別子のオフセット量を表す。
【００７３】
上記ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数のうちの少なくとも１つを含む。
【００７４】
選択的に、この二番目の選択的な実現方式では、ネットワーク機器によって端末が利用可能なＨＡＲＱ配置情報が配置されまたはプロトコルで約束される。このＨＡＲＱ配置情報は、半永続リソースのＨＡＲＱプロセス数、半永続的リソースのＨＡＲＱプロセス番号（たとえば、半永続的リソースが利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【００７５】
たとえば、ＵＥには合計４つの利用可能なＨＡＲＱプロセスがあり、リソース周期それぞれにおいて利用可能なＨＡＲＱプロセスが２つある。この場合、ＵＥの開始位置から第１のリソース周期のＨＡＲＱプロセス番号は１と２であり、第２の周期のＨＡＲＱプロセス番号は３と４であり、第３の周期のＨＡＲＱプロセス番号は１と２であり、第４の周期のＨＡＲＱプロセス番号は３と４であると類推する。
【００７６】
この二番目の選択的な実現方式では、ネットワーク機器は、上記と同じ方法で前記伝送キャリアがリソース周期それぞれにおいて利用可能なリソース位置情報と、リソース周期それぞれにおいて利用可能なハイブリッド自動再送要求ＨＡＲＱプロセス番号を決定し、決定された利用可能なリソース位置情報および利用可能なＨＡＲＱプロセス番号に基づいてデータを送信する。端末は対応する位置でネットワーク機器から送信されたデータを受信する。
【００７７】
選択的に、ネットワーク機器は、決定された利用可能なリソース位置および利用可能なＨＡＲＱプロセス番号に基づいてデータを送信したとき、まず、利用可能なリソース位置情報に対応するリソースおよびＨＡＲＱプロセス番号がアイドル状態であるかどうかを検出し、アイドル状態の場合に、データを送信する。
【００７８】
この三番目の選択的な実現方式として、前記半永続的リソースは上りリンク配置授権タイプ１リソースであり、リソース周期それぞれにおいて利用可能なＨＡＲＱプロセスが１つある。
【００７９】
ここでは、上りリンク配置授権タイプ１リソースは、ネットワーク側によって周期的な上りリンクリソースが配置され、各周期に１つの上りリンクリソースが割り当てられ、ＰＤＣＣＨ制御シグナリングを使用してアクティブ化する必要はなく、ＲＲＣを使用して配置すれば使用できる。
【００８０】
上記ステップ２０２において、前記半永続的リソースのリソース配置情報に基づいて、前記伝送キャリアがリソース周期それぞれにおいて利用可能なリソース位置情報を決定することは、
前記半永続的リソースのリソース配置情報に基づいて、前記伝送キャリアがリソース周期それぞれにおいて開始で利用可能なリソース位置情報を決定する。
【数７】
2022500950.tif 000029
ただし、ＮＳｌｏｔｓＰｅｒＦｒａｍｅは、システムフレームあたりのタイムスロット数を表す。ＮＳｙｍｂｏｌｓＰｅｒＳｌｏｔは、各タイムスロットのシンボル数を表す。ＮＳｌｏｔｎｕｍｂｅｒｉｎｔｈｅｆｒａｍｅは、現在のシステムフレームのタイムスロット番号を表す。ＯｆｆｓｅｔｔｉｍｅＤｏｍａｉｎは、ＳＦＮ＝０である時間ドメインのリソースのオフセット量を表す。Ｎは、Ｎ番目のリソースを表す。Ｓは、開始シンボルの番号を表す。Ｔｐｅｒｉｏｄｉｃｉｔｙは、無線リソース制御ＲＲＣメッセージ配置のリソース周期を表す。Ｎｓｙｍｂｏｌ  ｎｕｍｂｅｒ  ｉｎ  ｔｈｅ  ｓｌｏｔは、現在のタイムスロットのシンボル番号を表す。
【数８】
2022500950.tif 000030
ただし、ＣＵＲＲＥＮＴ＿ｓｙｍｂｏｌは、現在のシンボル番号を表す。
【００８１】
あるいは、前記リソース割り当て情報がリソース周期それぞれにおけるリソースの割り当て情報を含む場合、リソース周期それぞれにおける前記半永続的リソースの割り当て情報に基づいて、リソース周期それぞれにおける前記伝送キャリアの利用可能なリソース位置情報を決定する。
【００８２】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも一つを含み、前記リソース割り当て短周期は前記リソース周期よりも時間の長さが短くなる。
【００８３】
端末は具体的に、上記割り当て情報に基づいて、以下の方法を使用して、伝送キャリアがリソース周期それぞれにおいて利用可能なリソース位置情報を決定することができる。
【００８４】
方法１：上記割り当て情報はリソース割り当てｂｉｔｍａｐを含み、リソース割り当てｂｉｔｍａｐ＝１０ｂｉｔｓ  ｂｉｔｍａｐである。このとき、利用可能なリソース位置は、開始位置から始まる１０ｂｉｔから決定される。
【００８５】
方法２：上記割り当て情報は、リソース割り当ての時間の長さ、たとえば１０ｍｓを含む。このとき、開始位置から始まる１０ｍｓ以内のリソースが、伝送キャリアがリソース周期それぞれにおいて利用可能なリソースとして決定される。
【００８６】
方法３：上記割り当て情報は、リソース割り当ての時間の長さ、例えば１０ｍｓと、リソース割り当て短周期、例えば２ｍｓを含む。このとき、開始位置から始まる１０ｍｓ以内に、２ｍｓごとに１つの利用可能なリソースが端末に割り当てられる。
【００８７】
この三番目の選択的な実現方式では、上記ステップ２０２において前記半永続的リソースのリソース配置情報に基づいて、前記伝送キャリアがリソース周期それぞれにおいて利用可能なＨＡＲＱプロセス番号を決定ことは、
【００８８】
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット量、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定する。
【００８９】
ここの具体的な実現プロセスは、上記一番目の選択的な実現方式における実現プロセスと同じであるので、詳細は、ここでは再び説明されない。
【００９０】
選択的に、この三番目の選択的な実現では、ネットワーク機器によって端末が利用可能なＨＡＲＱ配置情報が配置されまたはプロトコルで約束される。このＨＡＲＱ配置情報は、半永続的リソースのＨＡＲＱプロセス数を含み、例えば、半永続的リソースの利用可能なＨＡＲＱプロセスの総数は４つである。
【００９１】
この三番目の選択的な実現方式では、端末は、半持続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用して、データを送信する。
【００９２】
選択的に、端末は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【００９３】
四番目の選択的な実現方式として、前記半永続的リソースは、上りリンク配置授権タイプ１リソースであり、リソース周期それぞれにおいて利用可能なＨＡＲＱプロセスが複数ある。
【００９４】
ここでは、上りリンク配置授権タイプ１リソースは、ネットワーク側によって周期的な上りリンクリソースが配置され、各周期に１つの上りリンクリソースが割り当てられ、ＰＤＣＣＨ制御シグナリングを使用してアクティブ化する必要はなく、ＲＲＣを使用して配置すれば使用できる。
【００９５】
上記ステップ２０２において、前記半永続的リソースのリソース配置情報に基づいて、前記伝送キャリアがリソース周期それぞれにおいて利用可能なリソース位置情報を決定することは、
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【００９６】
ここでの具体的な実現プロセスは、上記三番目の選択的な実現方式における実現プロセスと同じであるので、詳細は、ここで再び説明されない。
【００９７】
四番目の選択的な実現方式では、上記ステップ２０２において、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数とＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、を含む。
【００９８】
ここでの具体的な実現プロセスは、上記二番目の選択的な実現方式における実現プロセスと同じであるので、詳細は、ここで再び説明されない。
【００９９】
選択的に、この四番目の選択的な実現方式では、ネットワーク機器によって端末が利用可能なＨＡＲＱ配置情報が配置されまたはプロトコルで約束され、このＨＡＲＱ配置情報は、半永続的リソースのＨＡＲＱプロセス数、半永続的リソースのＨＡＲＱプロセス番号（たとえば、半永続的リソースが利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【０１００】
たとえば、ＵＥには合計４つの利用可能なＨＡＲＱプロセスがあり、リソース周期それぞれにおいて利用可能なＨＡＲＱプロセスが２つある。この場合、ＵＥの開始位置から第１のリソース周期のＨＡＲＱプロセス番号は１と２であり、第２の周期のＨＡＲＱプロセス番号は３と４であり、第３の周期のＨＡＲＱプロセス番号は１と２であり、第４の周期のＨＡＲＱプロセス番号は３と４であると類推する。
【０１０１】
四番目の選択的な実現方式では、端末は、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用してデータを送信する。
【０１０２】
選択的に、端末は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【０１０３】
五番目の選択的な実現方式として、前記半永続的リソースは上りリンク配置授権タイプ２リソースであり、リソース周期それぞれにおいて利用可能なＨＡＲＱプロセスが１つある。
【０１０４】
ここで、上りリンク配置授権タイプ２リソースは、ネットワーク側によって周期的な上りリンクリソースが配置され、各周期に１つの上りリンクリソースが割り当てられる。ネットワーク側は、ＰＤＣＣＨ制御シグナリングを通じて、この上りリンク配置授権タイプ２リソースの使用をアクティブ化または非アクティブ化にする。このＰＤＣＣＨ制御シグナリングは、アクティブ化されたリソースの位置（たとえば、ＳＦＮｓｔａｒｔ  ｔｉｍｅ（開始システムフレーム番号）、ｓｌｏｔｓｔａｒｔ  ｔｉｍｅ（開始タイムスロット番号）、およびｓｙｍｂｏｌｓｔａｒｔ  ｔｉｍｅ（開始シンボル番号））が、リソースの開始位置であることを指示する。
【０１０５】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定することを含む。
【０１０６】
具体的には、前記伝送キャリアがリソース周期それぞれにおいて開始で利用可能なリソース位置情報は、次の式によって決定される。
【数９】
2022500950.tif 000031
ただし、ＳＦＮは、現在のシステムフレーム番号を表す。ＮＳｌｏｔｓＰｅｒＦｒａｍｅは、システムフレームあたりのタイムスロット数を表す。ＮＳｙｍｂｏｌｓＰｅｒＳｌｏｔは、各タイムスロットのシンボルの数を表す。ＮＳｌｏｔｎｕｍｂｅｒｉｎｔｈｅｆｒａｍｅは、現在のシステムフレームのタイムスロット番号を表す。Ｎｓｙｍｂｏｌ  ｎｕｍｂｅｒ  ｉｎ  ｔｈｅ  ｓｌｏｔは、現在のタイムスロットのシンボル番号を表す。
【０１０７】
あるいは、前記リソース割り当て情報がリソース周期それぞれにおけるリソースの割り当て情報を含む場合、前記伝送キャリアがリソース周期それぞれにおいて利用可能なリソース位置情報は、リソース周期それぞれにおける前記半永続的リソースの割り当て情報に基づいて決定される。
【０１０８】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも一つを含み、前記リソース割り当て短周期は前記リソース周期よりも時間の長さが短くなる。
【０１０９】
端末は具体的に、上記割り当て情報に基づいて、以下の方法を使用して、伝送キャリアがリソース周期それぞれにおいて利用可能なリソース位置情報を決定することができる。
【０１１０】
方法１：上記割り当て情報はリソース割り当てｂｉｔｍａｐを含み、リソース割り当てｂｉｔｍａｐ＝１０ｂｉｔｓ  ｂｉｔｍａｐである。このとき、利用可能なリソース位置は、開始位置から始まる１０ｂｉｔから決定される。
【０１１１】
方法２：上記割り当て情報は、リソース割り当ての時間の長さ、たとえば１０ｍｓを含む。このとき、開始位置から始まる１０ｍｓ以内のリソースが、伝送キャリアがリソース周期それぞれにおいて利用可能なリソースとして決定される。
【０１１２】
方法３：上記割り当て情報は、リソース割り当ての時間の長さ、例えば１０ｍｓと、リソース割り当て短周期、例えば２ｍｓを含む。このとき、開始位置から始まる１０ｍｓ以内に、２ｍｓごとに１つの利用可能なリソースが端末に割り当てられる。
【０１１３】
この五番目の選択的な実現方式では、上記ステップ２０２において前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット量、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定することを含む。
【０１１４】
ここの具体的な実現プロセスは、上記一番目の選択的な実現方式における実現プロセスと同じであるので、詳細は、ここでは再び説明されない。
【０１１５】
選択的に、この五番目の選択的な実現では、ネットワーク機器によって端末が利用可能なＨＡＲＱ配置情報が配置されまたはプロトコルで約束される。このＨＡＲＱ配置情報は、半永続的リソースのＨＡＲＱプロセス数を含み、例えば、半永続的リソースの利用可能なＨＡＲＱプロセスの総数は４つである。
【０１１６】
この五番目の選択的な実現方式では、端末は、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用してデータを送信する。
【０１１７】
選択的に、端末は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【０１１８】
六番目の選択的な実現方式として、前記半永続的リソースは、上りリンク配置授権タイプ２リソースであり、リソース周期それぞれにおいて利用可能なＨＡＲＱプロセスが複数ある。
【０１１９】
ここで、上りリンク配置授権タイプ２リソースは、ネットワーク側によって周期的な上りリンクリソースが配置され、各周期に１つの上りリンクリソースが割り当てられる。ネットワーク側は、ＰＤＣＣＨ制御シグナリングを通じて、この上りリンク配置授権タイプ２リソースの使用をアクティブ化または非アクティブ化にする。このＰＤＣＣＨ制御シグナリングは、アクティブ化されたリソースの位置（たとえば、ＳＦＮｓｔａｒｔ  ｔｉｍｅ（開始システムフレーム番号）、ｓｌｏｔｓｔａｒｔ  ｔｉｍｅ（開始タイムスロット番号）、およびｓｙｍｂｏｌｓｔａｒｔ  ｔｉｍｅ（開始シンボル番号））が、リソースの開始位置であることを指示する。
【０１２０】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【０１２１】
ここでの具体的な実現プロセスは、上記五番目の選択的な実現方式における実現プロセスと同じであるので、詳細は、ここで再び説明されない。
【０１２２】
六番目の選択的な実現方式では、上記ステップ２０２において、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリア―の開始リソースのＨＡＲＱプロセス番号を決定し、リソース周期の番号およびリソース番号に基づいて、リソース周期それぞれにおける後続リソースのＨＡＲＱプロセス番号を決定することを含む。
【０１２３】
具体的には、リソース周期それぞれにおける前記伝送キャリアそれぞれの開始リソースのＨＡＲＱプロセス番号は、最初に次の式を使用して決定される。
【数１０】
2022500950.tif 000032
次に、残りのＨＡＲＱプロセス番号において、リソース周期の番号とリソース番号に基づいて順番に割り当てられる。
【０１２４】
たとえば、Ｔｐｅｒｉｏｄｉｃｉｔｙ＝１０、ＮＨＡＲＱ−Ｐｒｏｃｅｓｓｅｓ＝４、ＮＨＡＲＱ−ＰｒｏｃｅｓｓｅｓＰｅｒＰｅｒｉｏｄ＝２、ネットワーク側は、各周期に２つのリソース位置が配置された。この場合、第１のリソース周期の第１のリソースの「ＨＡＲＱプロセス番号＝１」であり、第２のリソース周期の第１のリソースの「ＨＡＲＱプロセス番号＝２」であり、第３のリソース周期の第１のリソースの「ＨＡＲＱプロセス番号＝１」であり、第４のリソース周期の第１のリソースの「ＨＡＲＱプロセス番号＝２」であると類推する。第１のリソース周期の第２のリソースの「ＨＡＲＱプロセス番号＝３」であり、第２のリソース周期の第２のリソースの「ＨＡＲＱプロセス番号＝４」であり、第３のリソース周期の第２のリソースの「ＨＡＲＱプロセス番号＝３」であり、第４のリソース周期の第２のリソースの「ＨＡＲＱプロセス番号＝２」であると類推する。
【０１２５】
あるいは、異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、およびＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定する。
具体的には、リソース周期それぞれにおける前記伝送キャリアそれぞれの開始リソースのＨＡＲＱプロセス番号は、次の式を使用して決定される。
【数１１】
2022500950.tif 000033
次に、残りのＨＡＲＱプロセス番号において、リソース周期の番号とリソース番号に基づいて順番に割り当てられる。
【０１２６】
たとえば、Ｔｐｅｒｉｏｄｉｃｉｔｙ＝１０、ＮＨＡＲＱ−Ｐｒｏｃｅｓｓｅｓ＝４、ＮＨＡＲＱ−ＰｒｏｃｅｓｓｅｓＰｅｒＰｅｒｉｏｄ＝２、ネットワーク側は、各周期に２つのリソース位置が配置された。この場合、第１のリソース周期の第１のリソースの「ＨＡＲＱプロセス番号＝１」であり、第２のリソース周期の第１のリソースの「ＨＡＲＱプロセス番号＝２」であり、第３のリソース周期の第１のリソース「ＨＡＲＱプロセス番号＝１」であり、第４のリソース周期の第１のリソース「ＨＡＲＱプロセス番号＝２」であると類推する。第１のリソース周期の第２のリソースの「ＨＡＲＱプロセス番号＝３」であり、第２のリソース周期の第２のリソースの「ＨＡＲＱプロセス番号＝４」であり、第３のリソース周期の第２のリソースの「ＨＡＲＱプロセス番号＝３」であり、第４のリソース周期の第２のリソースの「ＨＡＲＱプロセス番号＝４」であると類推する。
【０１２７】
選択的に、この六番目の選択的な実現では、ネットワーク機器によって端末が利用可能なＨＡＲＱ配置情報が配置されまたはプロトコルで約束される。このＨＡＲＱ配置情報は、半永続的リソースのＨＡＲＱプロセス数、半永続的リソースのＨＡＲＱプロセス番号（たとえば、半永続的リソースが利用可能なＨＡＲＱプロセス番号は１、２、３、および４である）、半永続的リソースがリソース周期それぞれにおいて利用可能なＨＡＲＱプロセス数（たとえば、リソース周期それぞれにおいて２つのＨＡＲＱプロセスが使用可能）、半永続的リソースがリソース周期それぞれにおいて利用可能なＨＡＲＱプロセス番号の少なくとも一つを含む。
【０１２８】
たとえば、ＵＥには合計４つの利用可能なＨＡＲＱプロセスがあり、リソース周期それぞれにおいて利用可能なＨＡＲＱプロセスが２つある。この場合、ＵＥの開始位置から第１のリソース周期のＨＡＲＱプロセス番号は１と２であり、第２の周期のＨＡＲＱプロセス番号は３と４であり、第３の周期のＨＡＲＱプロセス番号は１と２であり、第４の周期のＨＡＲＱプロセス番号は３と４であると類推する。
【０１２９】
この六番目の選択的な実現では、端末は、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用してデータを送信する。
【０１３０】
選択的に、端末は、決定された利用可能なリソース位置情報および利用可能なＨＡＲＱプロセス番号に基づいてデータを送信したとき、まず、利用可能なリソース位置情報に対応するリソースとＨＡＲＱプロセス番号がアイドル状態であるかどうかを検出し、アイドル状態の場合にデータを送信する。
【０１３１】
７番目の選択的な実現方式として、前記半永続的リソースは自律上りリンクＡＵＬリソースである。
【０１３２】
ＡＵＬは、ネットワーク側によって、一つのビットマップｂｉｔｍａｐ（たとえば、４０ｂｉｔにおいて１ｂｉｔの値が１に設定されている場合、このリソースはＵＥに割り当てられる）のリソース割り当てが配置された。ネットワーク側は、ＰＤＣＣＨ制御シグナリングを通じて、ＡＵＬリソースの使用をアクティブ化または非アクティブ化にする。このＰＤＣＣＨ制御シグナリングは、アクティブ化されたリソースの位置（たとえば、ＳＦＮｓｔａｒｔ  ｔｉｍｅ（開始システムフレーム番号）、ｓｌｏｔｓｔａｒｔ  ｔｉｍｅ（開始タイムスロット番号）、およびｓｙｍｂｏｌｓｔａｒｔ  ｔｉｍｅ（開始シンボル番号））が、リソースの開始位置であることを指示する。ＵＥは、上りリンクデータが送信された場合、ネットワーク側に配置されたＨＡＲＱプロセスプールから一つのＨＡＲＱプロセスを自律的に選択して、送信する。
【０１３３】
上記ステップ２０２において、前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む。
【０１３４】
ここでの具体的な実現プロセスは、上記五番目の選択的な実現方式における実現プロセスと同じであるので、詳細は、ここで再び説明されない。
【０１３５】
選択的に、七番目の選択的な実現方式では、ネットワーク機器によって端末が利用可能なＨＡＲＱ配置情報が配置されまたはプロトコルで約束される。このＨＡＲＱ配置情報は、端末が利用可能なＨＡＲＱプロセス番号プールを含み、例えば、端末が利用可能なＨＡＲＱプロセス番号が１、２、３、および４である。
【０１３６】
この七番目の選択的な実現方式では、端末は、前記半永続的リソース的リソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定した後、リソース周期それぞれにおいて利用可能なリソース位置で、対応するＨＡＲＱプロセス番号を使用してデータを送信する。
【０１３７】
選択的に、端末は、決定された利用可能なリソース位置情報に基づいてデータを送信したとき、まず、利用可能なリソース位置情報に対応するリソースとＨＡＲＱプロセス番号がアイドル状態であるかどうかを検出し、アイドル状態の場合に、リソース配置情報に基づいて、利用可能なＨＡＲＱプロセス番号プールから一つのＨＡＲＱプロセスを選択し、データを送信する。たとえば、ＨＡＲＱプロセス１を選択してデータを送信する。
【０１３８】
本開示の実施例のリソース配置方法によれば、半永続的リソースのリソース配置情報を取得し、前記リソース配置情報は、複数の伝送キャリアの識別子情報および前記伝送キャリアそれぞれの識別子情報に対応するリソース割り当て情報を含み、前記半永続的リソース的リソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号を決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【０１３９】
図３に示すように、本開示の実施例は、ネットワーク機器に用いられるリソース配置方法をさらに提供する。この方法は、以下のステップを含む。
【０１４０】
ステップ３０１：半永続的リソースのリソース配置情報を送信し、前記リソース配置情報は、複数の伝送キャリアの識別子情報と、前記伝送キャリアそれぞれの識別子情報に対応するリソース割り当て情報とを含む。
【０１４１】
上記伝送キャリアは、ビームまたは伝送ポイントを含む。上記リソース割り当て情報は、半永続的リソースのリソース周期を含む。
【０１４２】
伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル識別子、および伝送キャリアに対応するＭＡＣエンティティー識別子の少なくとも１つを含む。
【０１４３】
例えば、上記伝送キャリアに対応するセル識別子は、具体的にはセル１、上記伝送キャリアに対応する周波数ビン識別子は具体的には周波数ビン１、上記伝送キャリアに対応する帯域幅部分ＢＷＰ識別子は、具体的にはＢＷＰ＿１、上記伝送キャリアに対応するＭＡＣエンティティー識別子は、具体的にはＭＡＣ＿１となる。
【０１４４】
さらに、前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含む。参考信号には、ＳＳＢおよび／またはＣＳＩ-ＲＳが含まれる。
【０１４５】
上記伝送キャリア識別子は、ＳＳＢ識別子および／またはＣＳＩ-ＲＳ識別子に加えて、別の信号識別子であってよく、ここで特に限定されない。
【０１４６】
上記参考信号に対応するポート番号識別子は、具体的には、ｐｏｒｔ＿１であってよく、この参考信号は、ＳＳＢおよびＣＳＩ-ＲＳに加え、別の参考信号であってよく、ここでは特に限定されない。
【０１４７】
前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０１４８】
ただし、制御チャネルタイプ識別子は、具体的にはマスタセルＰＣｅｌｌのＰＤＣＣＨ＿１であってよい。制御チャネルのリソース位置識別子は、制御リソースセット（ＣＯＲＥＳＥＴ）および／または検索空間（ｓｅａｒｃｈ  ｓｐａｃｅ）識別子であってよい。制御チャネルの参考信号識別子は、ＳＳＢ識別子および／またはＣＳＩ-ＲＳ識別子であってよい。
【０１４９】
本開示の実施例のリソース配置方法によれば、ネットワーク機器によって端末に半永続的リソースを配置するとき、異なる半永続的リソースが異なる伝送キャリアに対して配置され、マルチ伝送キャリアの場合の半永続的リソースの利用率を向上しつつ、データ送信時のスケジューリングによる遅延を低減した。
【０１５０】
さらに、一つの選択的な実現方式として、前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む。
【０１５１】
ここでは、前記半永続的リソースは、下りリンク半永続的スケジューリングＳＰＳリソース、上りリンク配置授権タイプ２リソース、または自律上りリンクＡＵＬリソースである。
【０１５２】
具体的には、前記半永続的トリソースが下りリンク半永続的スケジューリングＳＰＳリソースであり、リソース周期それぞれにおいて利用可能なＨＡＲＱプロセスが１つある場合、前記リソース割り当て情報はさらに、リソース周期それぞれにおける前記伝送キャリアの半永続的リソースの割り当て情報を含む。
【０１５３】
前記半永続的リソースが下りリンク半永続的スケジューリングＳＰＳリソースであり、リソース周期それぞれにおいて利用可能なＨＡＲＱプロセスが複数ある場合、前記リソース割り当て情報はさらに、リソース周期それぞれにおける前記伝送キャリアの半永続的リソースの割り当て情報と、前記伝送キャリアの半永続的リソースのＨＡＲＱプロセス数の少なくとも一つを含む。
【０１５４】
別の一つの選択的な実現方式として、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースにおける時間ドメインリソースの占める時間ドメインの長さの少なくとも１つを含む。
【０１５５】
ここでは、上記半永続的リソースは、上りリンク配置授権タイプ１リソースである。
【０１５６】
例えば、上記時間ドメインのオフセット量は、具体的には１０つのＯＦＤＭシンボルであってよく、ＳＦＮ＝０の位置については、伝送キャリアの半永続的リソースは、具体的には１０番目のシンボルであってよく、上記時間ドメインリソースそれぞれの占める時間ドメインの長さは、具体的には２つのシンボルであってよい。
【０１５７】
ただし、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも一つを含み、前記リソース割り当て短周期は、前記リソース周期よりも時間の長さが短くなる。
【０１５８】
たとえば、リソース割り当ての開始位置情報は、具体的にはタイムスロット２で、アクティブ化位置に対するオフセット量は２タイムスロットであってよい。リソース割り当てビットマップｂｉｔｍａｐは、具体的には１０ｂｉｔでマークされた１０つのタイムスロットの位置であってよく、ただし、値１のｂｉｔでマークされたタイムスロット位置のリソースは、端末に割り当てられたリソースとして決定される。リソース割り当ての時間の長さは、具体的には、周期が４０ｍｓのリソースに対して、リソースの開始位置から１０ｍｓのリソース割り当ての時間の長さであってよい。リソース割り当て短周期は具体的には、周期が４０ｍｓのリソースに対して、４０ｍｓごとに１０ｍｓのリソース割り当ての時間の長さがあり、１０ｍｓ以内にリソース割り当て短周期が２ｍｓであることであってよい。
【０１５９】
選択的に、本開示の実施例では、ネットワーク機器によって端末が利用可能なＨＡＲＱ配置情報が配置されまたはプロトコルで約束される。このＨＡＲＱ配置情報は、半永続的リソースのＨＡＲＱプロセス数、半永続的リソースのＨＡＲＱプロセス番号、半永続的リソースがリソース周期それぞれにおいて利用可能なＨＡＲＱプロセス数、半永続的リソースがリソース周期それぞれにおいて利用可能なＨＡＲＱプロセス番号、および端末が利用可能なＨＡＲＱプロセス番号プールの少なくとも１つを含む。
【０１６０】
具体的には、下りリンク半永続的スケジューリングＳＰＳリソースについて、リソース周期それぞれにおいて利用可能なＨＡＲＱプロセスが１つある場合、このＨＡＲＱ配置情報には、半永続的リソースのＨＡＲＱプロセス数が含まれ、たとえば、半永続的リソースが利用可能なＨＡＲＱプロセスの総数は４つである。下りリンク半永続的ケジューリングＳＰＳリソースについて、リソース周期それぞれにおいて利用可能なＨＡＲＱプロセスが複数ある場合、このＨＡＲＱ配置情報は、半永続的リソースのＨＡＲＱプロセス数、半永続的リソースのＨＡＲＱプロセス番号（たとえば、半永続的リソースが利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【０１６１】
たとえば、ＵＥには合計４つの利用可能なＨＡＲＱプロセスがあり、リソース周期それぞれにおいて利用可能なＨＡＲＱプロセスが２つある。この場合、ＵＥの開始位置から第１のリソース周期のＨＡＲＱプロセス番号は１と２であり、第２の周期のＨＡＲＱプロセス番号は３と４であり、第３の周期のＨＡＲＱプロセス番号は１と２であり、第４の周期のＨＡＲＱプロセス番号は３と４であると類推する。
【０１６２】
上りリンク配置授権タイプ１リソースについて、リソース周期それぞれにおいて利用可能なＨＡＲＱプロセスが１つある場合、このＨＡＲＱ配置情報は、半永続的リソースのＨＡＲＱプロセス数を含む。たとえば、半永続的リソースが利用可能なＨＡＲＱプロセスの総数は４つである。
【０１６３】
上りリンク配置授権タイプ１リソースについて、リソース周期それぞれにおいて利用可能なＨＡＲＱプロセスが複数ある場合、このＨＡＲＱ配置情報は、半永続的リソースのＨＡＲＱプロセス数、半永続的リソースのＨＡＲＱプロセス番号（たとえば、半永続的リソースが合計に利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【０１６４】
上りリンク配置授権タイプ２リソースについて、リソース周期それぞれにおいて利用可能なＨＡＲＱプロセスが１つある場合、このＨＡＲＱ配置情報は、半永続的リソースのＨＡＲＱプロセス数を含む。たとえば、半永続的リソースが利用可能なＨＡＲＱプロセスの総数は４つである。
【０１６５】
上りリンク配置授権タイプ２リソースについて、リソース周期それぞれにおいて利用可能なＨＡＲＱプロセスが複数ある場合、このＨＡＲＱ配置情報は、半永続的リソースのＨＡＲＱプロセス数、半永続的リソースのＨＡＲＱプロセス番号（たとえば、半永続的リソースが利用可能なＨＡＲＱプロセス数は１、２、３、および４である））、半永続的リソースがリソース周期それぞれにおいて利用可能なＨＡＲＱプロセス数（たとえば、リソース周期それぞれにおいて２つのＨＡＲＱプロセスが使用可能）、および半永続的リソースがリソース周期それぞれにおいて利用可能なＨＡＲＱプロセス番号の少なくとも１つを含む。
【０１６６】
自律上りリンクＡＵＬリソースについて、このＨＡＲＱ配置情報は、端末が利用可能なＨＡＲＱプロセス番号プールを含む。たとえば、端末が利用可能なＨＡＲＱプロセス番号は１、２、３、および４である。
【０１６７】
本開示の実施例のリソース配置方法によれば、ネットワーク機器によって端末に半永続的リソースを配置するとき、異なる半永続的リソースが異なる伝送キャリアに対して配置されたことにより、マルチ伝送キャリアの場合の半永続的リソースの利用率を向上しつつ、データ送信時のスケジューリングによる遅延を低減した。
【０１６８】
図４は、本開示の実施例による端末のモジュールの模式図である。図４に示されるように、本開示の実施例は、以下のモジュールを含む端末４００をさらに提供する。
【０１６９】
半永続的リソースのリソース配置情報を取得するためのものであり、前記リソース配置情報は、複数の伝送キャリアの識別子情報および前記伝送キャリアそれぞれの識別子情報に対応するリソース割り当て情報を含む取得モジュール４０１、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定するための決定モジュール４０２。
【０１７０】
本開示の実施例の端末によれば、前記リソース割り当て情報は、リソース周期を含む。
【０１７１】
本開示の実施例の端末によれば、前記リソース割り当て情報は、さらに、リソース周期それぞれにおける前記伝送キャリアの半永続的リソースの割り当て情報と、前記伝送キャリアの半永続的リソースのＨＡＲＱプロセス数の少なくとも１つを含む。
【０１７２】
本開示の実施例の端末によれば、前記決定モジュールは、
ネットワーク機器から送信されたアクティブ化シグナリングを受信した場合、前記アクティブ化シグナリングに基づいて半永続的リソースの開始位置を決定し、前記リソース配置情報および前記半永続的リソースの開始位置に基づいて、前記伝送キャリアがリソース周期それぞれにおいて開始で利用可能なリソース位置情報を決定するために用いられ、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定するために用いられる。
【０１７３】
本開示の実施例の端末によれば、前記半永続的リソースは、下りリンク半永続的スケジューリングＳＰＳリソース、上りリンク配置授権タイプ２リソース、または自律上りリンクＡＵＬリソースである。
【０１７４】
本開示の実施例の端末によれば、前記リソース割り当て情報はさらに、リソース周期それぞれにおける前記伝送キャリアの半永続的リソースの割り当て情報、前記伝送キャリアの半永続的リソースの時間ドメインのオフセット量、前記伝送キャリアの半永続的リソースにおける時間ドメインリソースそれぞれの占める時間ドメインの長さの少なくとも１つを含む。
【０１７５】
本開示の実施例の端末によれば、前記決定モジュールは、
前記半永続的リソースのリソース配置情報に基づいて、前記伝送キャリアがリソース周期それぞれにおいて開始で利用可能なリソース位置情報を決定するために用いられ、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定するために用いられる。
【０１７６】
本開示の実施例の端末によれば、前記半永続的リソースは、上りリンク配置授権タイプ１リソースである。
【０１７７】
本開示の実施例の端末によれば、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、リソース割り当て短周期の少なくとも１つを含み、
前記リソース割り当て短周期は、前記リソース周期よりも時間の長さが短くなる。
【０１７８】
図５に示すように．本開示の実施例の端末によれば、リソース周期それぞれにおいて利用可能なＨＡＲＱプロセスが１つある場合、
決定モジュール４０２は、
異なる伝送キャリアが異なるＨＡＲＱエンティティーに対応する場合、リソース周期、現在のタイムスロット番号、システムフレームあたりのタイムスロット数、および半永続的リソースのＨＡＲＱプロセス数に基づいて、前記伝送キャリアそれぞれがリソース周期それぞれにおいて利用可能なＨＡＲＱプロセス番号を決定するための第１の決定サブモジュール４０２１、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット量、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定するための第２の決定サブモジュール４０２２を含む。
【０１７９】
本開示の実施例の端末によれば、前記半永続的リソースは、下りリンク半永続的スケジューリングＳＰＳリソース、上りリンク配置授権タイプ１リソース、または上りリンク配置授権タイプ２リソースである。
【０１８０】
本開示の実施例の端末によれば、前記ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数の少なくとも１つを含む。
【０１８１】
本開示の実施例の端末によれば、リソース周期それぞれにおいて利用可能なＨＡＲＱプロセスが複数ある場合、
決定モジュール４０２は、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第３の決定サブモジュール４０２３、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数、およびＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第４の決定サブモジュール４０２４を含む。
【０１８２】
本開示の実施例の端末によれば、前記半永続的リソースは、下りリンク半永続的スケジューリングＳＰＳリソースまたは上りリンク配置授権タイプ１リソースである。
【０１８３】
本開示の実施例の端末によれば、リソース周期それぞれにおいて利用可能なＨＡＲＱプロセスが複数ある場合、
決定モジュール４０２は、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第５の決定サブモジュール４０２５、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、ＨＡＲＱプロセス識別子のオフセット量に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定するための第６の決定サブモジュール４０２６を含む。
【０１８４】
本開示の実施例の端末によれば、前記半永続的リソースは、上りリンク配置授権タイプ２リソースである。
【０１８５】
本開示の実施例の端末によれば、前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル識別子、および伝送キャリアに対応するＭＡＣエンティティー識別子のうちの少なくとも１つを含む。
【０１８６】
本開示の実施例の端末によれば、前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、参考信号には、ＳＳＢおよび／またはＣＳＩ-ＲＳが含まれる。
【０１８７】
本開示の実施例の端末によれば、前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０１８８】
説明すべきことは、図５に示す端子の構造ブロック図は、本開示の実施例における端末の模式図にすぎない。本開示の実施例における端末の決定モジュールは、第１の決定サブモジュール、第２の決定サブモジュール、第３の決定サブモジュール、第４の決定サブモジュール、第５の決定サブモジュール、および第６の決定サブモジュールのうちの少なくとも１つを含む。
【０１８９】
本開示の実施例の端末によれば、半永続的リソースのリソース配置情報を取得し、前記リソース配置情報は、複数の伝送キャリアの識別子情報と、前記伝送キャリアそれぞれの識別子情報に対応するリソース割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【０１９０】
本開示の実施例は、以下のような端末をさらに提供する。メモリ、プロセッサ、およびメモリに記憶され、プロセッサ上で実行することができるコンピュータプログラムを含み、前記コンピュータプログラムが前記プロセッサによって実行されるとき、端末に用いられる上記リソース配置方法の実施例の各プロセスが実現され、同じ技術的効果が達成される。繰り返しを避けるために、ここでは詳細を再度説明しない。
【０１９１】
本開示の実施例は、以下のようなコンピュータ可読記憶媒体をさらに提供する。コンピュータプログラムが前記コンピュータ可読記憶媒体に記憶され、前記コンピュータプログラムがプロセッサによって実行されるとき、端末に用いられる上記リソース配置方法の実施例の各プロセスが実現され、同じ技術的効果が達成される。繰り返しを避けるために、ここでは詳細を再度説明しない。ただし、前記コンピュータ可読記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどである。
【０１９２】
上記目的をよりよく達成するために、図６を参照して、本開示の実施例は、以下のような端末をさらに提供する。メモリ５２０、プロセッサ５００、送受信機５１０、ユーザインターフェース５３０、バスインターフェース、およびメモリ５２０に記憶され、プロセッサ５００上で実行することができるコンピュータプログラムを含み、前記プロセッサ５００は、メモリ５２０内のプログラムを読み取り、以下のプロセスを実行するためのものである。
【０１９３】
半永続的リソースのリソース配置情報を取得し、前記リソース配置情報は、複数の伝送キャリアの識別子情報と、前記伝送キャリアそれぞれの識別子情報に対応するリソース割り当て情報とを含むこと、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定すること。
【０１９４】
そのうち、図６では、バスアーキテクチャは、任意の数の相互接続されたバスおよびブリッジを含み、具体的にプロセッサ５００によって代表される１つまたは複数のプロセッサとメモリ５２０によって代表されるメモリの各回路でリンクされてよい。バスアーキテクチャは、周辺機器、電圧レギュレータ、およびパワー管理回路などの他のさまざまな回路をリンクしてもよい。これらはすべて当技術分野でよく知られているものであるため、ここではこれ以上説明しない。バスインターフェースはインターフェースを提供する。送受信機５１０は、複数の構成要素であり、すなわち、送受信機５１０は、送信機および受信機を含み、伝送媒体上で様々な他の装置と通信するためのユニットを提供する。異なるユーザ機器について、ユーザインターフェース５３０は必要な機器に外接や内接することができるインターフェースであってもよい。接続された機器には、キーパッド、ディスプレイ、スピーカー、マイク、ジョイスティックなどが含まれるが、これらに限定されない。
【０１９５】
プロセッサ５００は、バスアーキテクチャおよび通常の処理の管理を担当し、メモリ５２０は、操作実行時にプロセッサ５００によって使用されるデータを記憶することができる。
【０１９６】
選択的に、リソース割り当て情報はリソース周期を含む。
【０１９７】
選択的に、リソース割り当て情報はさらに、リソース周期それぞれにおける前記伝送キャリアの半永続的リソースの割り当て情報と、前記伝送キャリアの半永続的リソースのＨＡＲＱプロセス数の少なくとも１つを含む。
【０１９８】
選択的に、プロセッサ５００は、メモリ５２０内のプログラムを読み取り、さらに、以下のステップを実行するためのものになる。
【０１９９】
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定する。
【０２００】
選択的に、前記半永続的リソースは、下りリンク半永続的スケジューリングＳＰＳリソース、上りリンク配置授権タイプ２リソース、または自律上りリンクＡＵＬリソースである。
【０２０１】
選択的に、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースでの時間ドメインリソースそれぞれの占める時間ドメインの長さの少なくとも１つを含む。
【０２０２】
選択的に、プロセッサ５００は、メモリ５２０内のプログラムを読み取り、さらに、以下のステップを実行するためのものになる。
【０２０３】
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定すること。
【０２０４】
選択的に、前記半永続的リソースは、上りリンク配置授権タイプ１リソースである。
選択的に、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも１つを含む。
【０２０５】
前記リソース割り当て短周期は、前記リソース周期よりも時間の長さが短くなる。
【０２０６】
選択的に、リソース周期それぞれにおいて利用可能なＨＡＲＱプロセスが１つある場合、
プロセッサ５００は、メモリ５２０内のプログラムを読み取り、さらに、以下のステップを実行するためのものになる。
【０２０７】
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定すること。
【０２０８】
選択的に、前記半永続的リソースは、下りリンク半永続的スケジューリングＳＰＳリソース、上りリンク配置授権タイプ１リソース、または上りリンク配置授権タイプ２リソースである。
【０２０９】
選択的に、ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数の少なくとも１つを含む。
【０２１０】
選択的に、リソース周期それぞれにおいて利用可能なＨＡＲＱプロセスが複数ある場合、
プロセッサ５００は、メモリ５２０内のプログラムを読み取り、さらに、以下のステップを実行するためのものになる。
【０２１１】
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定すること、または、
【０２１２】
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数とＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、
【０２１３】
選択的に、前記半永続的リソースは、下りリンク半永続的スケジューリングＳＰＳリソース、または上りリンク配置授権タイプ１リソースである。
【０２１４】
選択的に、リソース周期それぞれにおいて利用可能なＨＡＲＱプロセスが複数ある場合、
プロセッサ５００は、メモリ５２０内のプログラムを読み取り、さらに、以下のステップを実行するためのものになる。
【０２１５】
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、または、
【０２１６】
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、ＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、
選択的に、前記半永続的リソースは、上りリンク配置授権タイプ２リソースである。
【０２１７】
選択的に、伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル識別子、および伝送キャリアに対応するＭＡＣエンティティー識別子の少なくとも一つを含む。
【０２１８】
選択的に、前記伝送キャリア識別子は、同期信号ブロックＳＳＢ識別子、チャネル状態情報参考信号ＣＳＩ-ＲＳ識別子、および参考信号に対応するポート番号識別子を少なくとも一つを含み、前記参考信号は、ＳＳＢおよび／またはＣＳＩ-ＲＳを含む。
【０２１９】
選択的に、前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０２２０】
本開示の実施例の端末によれば、半永続的リソースのリソース配置情報を取得し、前記リソース配置情報は、複数の伝送キャリアの識別子情報と、前記伝送キャリアそれぞれの識別子情報に対応するリソース割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも一つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【０２２１】
図７は、本開示の実施例による端末を実現するハードウェアの概略構造図である。端末６００は、無線周波数ユニット６０１、ネットワークモジュール６０２、音声出力ユニット６０３、入力ユニット６０４、センサ６０５、表示ユニット６０６、ユーザー入力ユニット６０７、インターフェースユニット６０８、メモリ６０９、プロセッサ６１０、および電源６１１などの構成要素を含むが、これらに限定されない。当業者が理解できることは、図７に示す端末の構造は端末を限定するものではなく、端末は、図に示されているものよりも多いまたは少ない構成要素を含み、あるいはいくつかの構成要素または異なる構成要素を組み合わせて配置されるものになる。本開示の実施例では、端末は、携帯電話、タブレットコンピュータ、ラップトップコンピュータ、ポケットコンピューター、車載端末、ウェアラブル機器、歩数計などを含むが、これらに限定されない。
【０２２２】
そのうち、プロセッサ６１０は、
半永続的リソースのリソース配置情報を取得し、前記リソース配置情報は、複数の伝送キャリアの識別子情報と、前記伝送キャリアそれぞれの識別子情報に対応するリソース割り当て情報とを含むこと、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号に関する情報の少なくとも１つを決定するためのものである。
【０２２３】
本開示の実施例の上記技術案によれば、半永続的リソースのリソース配置情報を取得し、前記リソース配置情報は、複数の伝送キャリアの識別子情報および前記伝送キャリアそれぞれの識別子情報に対応するリソース割り当て情報を含み、前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号との少なくとも１つを決定することにより、異なる上りリンク伝送キャリアおよび／または下りリンク伝送キャリアに異なる半永続的リソースが配置されることを図り、マルチ伝送キャリアの場合の半永続的リソースの利用率を向上しつつ、データ送信時のスケジューリングによる遅延を低減した。
【０２２４】
理解すべきことは、本開示の実施例では、無線周波数ユニット６０１は、情報の送受信または通話中の信号の送受信に用いられ、具体的にネットワーク機器からの下りリンクデータを受信した後に、プロセッサ６１０に処理させる。また、上りリンクデータをネットワーク機器に送信する。一般に、無線周波数ユニット６０１は、アンテナ、少なくとも１つの増幅器、送受信機、カプラ、低雑音増幅器、デュプレクサなどを含むが、これらに限定されない。さらに、無線周波数ユニット６０１はまた、無線通信システムを介してネットワークおよび他の機器と通信することができる。
【０２２５】
端末は、ネットワークモジュール６０２を介して、ワイヤレスブロードバンドインターネットのアクセスをユーザに提供し、例えば、ユーザの電子メールの送受信、ウェブページの閲覧、ストリーミングメディアへのアクセスなどを支援する。
【０２２６】
音声出力ユニット６０３は、無線周波数ユニット６０１またはネットワークモジュール６０２によって受信され、またはメモリ６０９に記憶された音声データを音声信号に変換し、音声として出力することができる。さらに、音声出力ユニット６０３は、端末６００によって実行される特定の機能に関する音声出力（例えば、通話信号受信音またはメッセージ受信音など）も提供することができる。音声出力ユニット６０３は、スピーカー、ブザー、電話受信機などを含む。
【０２２７】
入力ユニット６０４は、音声またはビデオ信号を受信するためのものである。入力ユニット６０４は、グラフィックスプロセッサ（Ｇｒａｐｈｉｃｓ  Ｐｒｏｃｅｓｓｉｎｇ  Ｕｎｉｔ、ＧＰＵ）６０４１およびマイク６０４２を含でよい。グラフィックスプロセッサ６０４１は、ビデオキャプチャモードまたは画像キャプチャモードで、画像キャプチャ装置（カメラなど）によって取得された静止画像またはビデオの画像データを処理する。処理された画像フレームは、表示ユニット６０６上に表示されてよい。グラフィックスプロセッサ６０４１によって処理された画像フレームは、メモリ６０９（または別の記憶媒体）に記憶され、または無線周波数ユニット６０１やネットワークモジュール６０２を介して送信されてよい。マイク６０４２は、音を受信し、そのような音を音声データに処理することができる。処理された音声データは、電話モードで無線周波数ユニット６０１を介して移動通信ネットワーク機器に送信することができるフォーマット出力に変換することができる。
【０２２８】
端子６００は、少なくとも１つのセンサ６０５、例えば、光学センサ、運動センサ、および別のセンサをさらに含む。具体的には、光学センサは、周囲光センサおよび近接センサを含む。周囲光センサは、周囲光の明るさに基づいて表示パネル６０６１の輝度を調整することができ、近接センサは、端末６００が耳に近づくと、表示パネル６０６１および／またはバックライトをオフにすることができる。加速度センサは、モーションセンサの一種として、全方向（通常は３軸）の加速度の大きさを検出し、静止状態のとき、重力の大きさと方向を検出でき、端末の姿勢（ポートレートとランドスケープの画面切り替え、関連ゲーム、磁力計の姿勢調整など）の識別、振動識別に関連する機能（歩数計、パーカッション）などに用いられる。センサ６０５はまた、指紋センサ、圧力センサ、虹彩センサ、分子センサ、ジャイロスコープ、気圧計、湿度計、温度計、赤外線センサなどを含む。詳細はここでは説明されない。
【０２２９】
表示ユニット６０６は、ユーザによって入力された情報またはユーザに提供された情報を表示するためのものである。表示ユニット６０６は、表示パネル６０６１を含んでよく、表示パネル６０６１は、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で配置されてよい。
【０２３０】
ユーザー入力ユニット６０７は、入力桁または文字情報の受信、端末のユーザ設定および機能制御に関連するキー信号入力の生成に用いられる。具体的には、ユーザー入力ユニット６０７は、タッチパネル６０７１および他の入力機器６０７２を含む。タッチパネル６０７１は、タッチスクリーンとも呼ばれ、タッチパネル６０７１は、その上またはその近くのユーザーのタッチ操作（たとえば、ユーザが指やスタイラスペンなどの適切な物体や付属品でタッチパネル６０７１上またはタッチパネル６０７１の近く操作する）を収集することができる。タッチパネル６０７１は、タッチ検出装置およびタッチコントローラの２つの部分を含む。タッチ検出装置は、ユーザのタッチ方向を検出し、タッチ操作によってもたらす信号を検出し、その信号をタッチコントローラに送信する。タッチコントローラは、タッチ検出装置からタッチ情報を受信し、タッチ情報をタッチポイント座標に変換し、プロセッサ６１０に送信し、プロセッサ６１０から送信されたコマンドを受信して実行する。さらに、タッチパネル６０７１は、例えば、抵抗性、容量性、赤外線、または表面音波などのさまざまなタイプで実現されてよい。タッチパネル６０７１に加えて、ユーザー入力ユニット６０７は、他の入力機器６０７２をさらに含でよい。具体的には、他の入力機器６０７２は、物理的キーボード、ファンクションキー（音量調節キーまたは電源オン／オフキーなど）、トラックボール、マウス、ジョイスティックなどを含むが、これらに限定されない。詳細は、ここでは説明されない。
【０２３１】
さらに、タッチパネル６０７１は、表示パネル６０６１をカバーする。タッチパネル６０７１がその上またはその近くのタッチ操作を検出すると、プロセッサ６１０は、タッチイベントの種類を決定し、次に、プロセッサ６１０は、タッチイベントのタイプに基づいて、表示パネル６０６１上に対応する視覚的出力を提供する。図７にはある、タッチパネル６０７１および表示パネル６０６１は、２つの独立した部分として、端末の入力および出力機能を実現するものであるが、いくつかの実施例では、タッチパネル６０７１および表示パネル６０６１を統合して、端末の入力および出力機能を実施してよい。これは、ここでは特に限定されない。
【０２３２】
インターフェースユニット６０８は、外部装置と端末６００とが接続されたインターフェースである。例えば、外部装置は、有線または無線のヘッドセットポート、外部電源（またはバッテリ充電器）ポート、有線または無線のデータポート、メモリカードポート、識別モジュールを有する装置を接続するためのポート、音声入出力（Ｉ／Ｏ）ポート、ビデオＩ／Ｏポート、イヤホンポートなどを含んでよい。インターフェースユニット６０８は、外部装置からの入力（例えば、データ情報または電力）を受信するとともに、受信した入力を端末６００内の１つまたは複数の要素に伝送するために用いられ、または端末６００および外部装置間でデータを伝送するために用いられる。
【０２３３】
メモリ６０９は、ソフトウェアプログラムおよび様々なデータを記憶するために用いられる。メモリ６０９は、主に、プログラム記憶領域およびデータ記憶領域を含む。そのうち、プログラム記憶領域は、オペレーティングシステム、少なくとも１つの機能に必要なアプリケーション（音声再生機能や画像再生機能など）などを記憶することができる。データ記憶領域は、携帯電話の使用に基づいて作成されたデータ（音声データや電話帳など）などを記憶することができる。さらに、メモリ６０９は、高速ランダムアクセスメモリを含んでよく、不揮発性メモリ、例えば少なくとも一つの磁気ディスク記憶デバイス、フラッシュ記憶デバイス、または別の揮発性ソリッドステート記憶デバイスを含んでもよい。
【０２３４】
プロセッサ６１０は、端末の制御センターであり、様々なインターフェースおよびラインを使用して端末の各構成要素に接続される。メモリ６０９に記憶されたソフトウェアプログラムおよび／またはモジュールを運行または実行し、メモリ６０９に記憶されたデータを呼び出し、端末の様々な機能と処理データを実行することにより、端末の全体的な監視を実行する。プロセッサ６１０は、１つまたは複数の処理ユニットを含んでよい。選択的に、アプリケーションプロセッサおよびモデムプロセッサをプロセッサ６１０に統合することができる。そのうち、アプリケーションプロセッサは、主にオペレーティングシステム、ユーザーインターフェイス、アプリケーションプログラムなどを処理する。モデムプロセッサは主に無線通信を処理する。上記モデムプロセッサがプロセッサ６１０に統合されていないことも可能であることが理解できる。
【０２３５】
端子６００は、すべての構成要素に電力を供給する電源６１１（例えば、セル）をさらに含む。選択的に、電源６１１は、パワー管理システムを介してプロセッサ６１０に論理的に接続できる。このように、パワー管理システムを使用することにより、充電管理、放電管理、電力消費管理などの機能が実現される。
【０２３６】
さらに、端末６００は、示されていないいくつかの機能モジュールを含む。詳細はここでは説明されない。
【０２３７】
図８に示すように．本開示の実施例は、以下のモジュールを含むネットワーク機器７００をさらに提供する。
【０２３８】
半永続的リソースのリソース配置情報を送信するためのものであり、前記リソース配置情報は、複数の伝送キャリアの識別子情報および前記伝送キャリアそれぞれの識別子情報に対応するリソース割り当て情報を含む送信モジュール７０１。
【０２３９】
本開示の実施形態におけるネットワーク機器によれば、端末に半永続的リソースが配置されたとき、異なる伝送キャリアに異なる半永続的リソースが配置されることにより、マルチ伝送キャリアの場合の半永続的リソースの利用率を向上しつつ、データ送信時のスケジューリングによる遅延を低減した。
【０２４０】
本開示の実施例におけるネットワーク機器によれば、前記リソース割り当て情報は、リソース周期を含む。
【０２４１】
本開示の実施例におけるネットワーク機器によれば、前記リソース割り当て情報は、さらに、リソース周期それぞれにおける前記伝送キャリアの半永続的リソースの割り当て情報と、前記伝送キャリアの半永続的リソースのＨＡＲＱプロセス数の少なくとも１つを含む。
【０２４２】
本開示の実施例におけるネットワーク機器によれば、前記半永続的リソースは、下りリンク半永続的スケジューリングＳＰＳリソース、上りリンク配置授権タイプ２リソース、または自律上りリンクＡＵＬリソースである。
【０２４３】
本開示の実施例におけるネットワーク機器によれば、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースでの時間ドメインリソースそれぞれの占める時間ドメインの長さの少なくとも１つを含む。
【０２４４】
本開示の実施例におけるネットワーク機器によれば、前記半永続的リソースは、上りリンク配置授権タイプ１リソースである。
【０２４５】
本開示の実施例におけるネットワーク機器によれば、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、リソース割り当て短周期の少なくとも１つを含み、
前記リソース割り当て短周期は、前記リソース周期よりも時間の長さが短くなる。
【０２４６】
本開示の実施例におけるネットワーク機器によれば、前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル識別子、および伝送キャリアに対応するＭＡＣエンティティー識別子のうちの少なくとも１つを含む。
【０２４７】
本開示の実施例におけるネットワーク機器によれば、前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、前記参考信号は、ＳＳＢおよび／またはＣＳＩ-ＲＳを含む。
【０２４８】
本開示の実施例におけるネットワーク機器によれば、前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０２４９】
本開示の実施例におけるネットワーク機器によれば、端末に半永続的リソースが配置されたとき、異なる伝送キャリアに異なる半永続的リソースが配置されことにより、マルチ伝送キャリアの場合の半永続的リソースの利用率を向上しつつ、データ送信時のスケジューリングによる遅延を低減した。
本開示の実施例は、以下のようなネットワーク機器をさらに提供する。メモリ、プロセッサ、およびメモリに記憶され、プロセッサ上で実行することができるコンピュータプログラムを含み、前記コンピュータプログラムが前記プロセッサによって実行されるとき、ネットワーク機器に用いられる上記リソース配置方法の方法実施例の各プロセスが実現され、同じ技術的効果が達成される。繰り返しを避けるために、ここでは詳細を再度説明しない。
【０２５０】
本開示の実施例は、以下のようなコンピュータ可読記憶媒体をさらに提供する。コンピュータプログラムが前記コンピュータ可読記憶媒体に記憶され、前記コンピュータプログラムが前記プロセッサによって実行されるとき、ネットワーク機器に用いられる上記リソース配置方法の実施例の各プロセスが実現され、同じ技術的効果が達成される。繰り返しを避けるために、ここでは詳細を再度説明しない。ただし、前記コンピュータ可読記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、または光ディスクなどである。
【０２５１】
図９に示すように．本開示の実施例は、プロセッサ８０１、送受信機８０２、メモリ８０３、およびバスインターフェースを含むネットワーク機器８００をさらに提供し、そのうち、
プロセッサ８０１は、メモリ８０３内のプログラムを読み取り、以下のプロセスを実行するために用いられる。
【０２５２】
半永続的リソースのリソース配置情報を送信し、前記リソース配置情報は、複数の伝送キャリアの識別子情報と、前記伝送キャリアそれぞれの識別子情報に対応するリソース割り当て情報とを含む。
図９では、バスアーキテクチャは、任意の数の相互接続されたバスおよびブリッジを含み、具体的にプロセッサ８０１によって代表される１つまたは複数のプロセッサおよびメモリ８０３によって代表されるメモリの各回路でリンクされてよい。バスアーキテクチャは、周辺機器、電圧レギュレータ、およびパワー管理回路などの他のさまざまな回路ををリンクしてもよい。これらはすべて当技術分野でよく知られているものであるため、ここではこれ以上説明しない。バスインターフェースはインターフェースを提供する。送受信機８０２は、送信機および受信機を含む複数の構成要素であり、伝送媒体上で様々な他の装置と通信するためのユニットを提供する。
【０２５３】
プロセッサ８０１は、バスアーキテクチャおよび通常の処理の管理を担当し、メモリ８０３は、操作実行時にプロセッサ８０１によって使用されるデータを記憶することができる。
【０２５４】
選択的に、リソース割り当て情報はリソース周期を含む。
選択的に、前記リソース割り当て情報は、リソース周期それぞれにおける前記伝送キャリアの半永続的リソースの割り当て情報と、前記伝送キャリアの半永続的リソースのＨＡＲＱプロセス数の少なくとも１つを含む。
【０２５５】
選択的に、前記半永続的リソースは、下りリンク半永続的スケジューリングＳＰＳリソース、上りリンク配置授権タイプ２リソース、または自律上りリンクＡＵＬリソースである。
【０２５６】
選択的に、前記リソース割り当て情報はさらに、リソース周期それぞれにおける前記伝送キャリアの半永続的リソースの割り当て情報、前記伝送キャリアの半永続的リソースの時間ドメインのオフセット量、および前記伝送キャリアの半永続的リソースでの時間ドメインリソースそれぞれの占める時間ドメインの長さの少なくとも１つを含む。
【０２５７】
選択的に、前記半永続的リソースは、上りリンク配置授権タイプ１リソースである。
【０２５８】
選択的に、リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、およびリソース割り当て短周期の少なくとも１つを含む。
【０２５９】
前記リソース割り当て短周期は、前記リソース周期よりも時間の長さが短くなる。
【０２６０】
選択的に、前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、および伝送キャリアに対応するＭＡＣエンティティー識別子のうちの少なくとも１つを含む。
【０２６１】
選択的に、前記伝送キャリア識別子は、同期信号ブロックＳＳＢ識別子、チャネル状態情報参考信号ＣＳＩ-ＲＳ識別子、および参考信号に対応するポート番号識別子を少なくとも一つを含み、前記参考信号は、ＳＳＢおよび／またはＣＳＩ-ＲＳを含む。
【０２６２】
選択的に、前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む。
【０２６３】
本開示の実施例におけるネットワーク機器によれば、端末に半永続的リソースが配置されたとき、異なる伝送キャリアに異なる半永続的リソースが配置されることにより、マルチ伝送キャリアの場合の半永続的リソースの利用率を向上しつつ、データ送信時のスケジューリングによる遅延を低減した。
【０２６４】
説明すべきことは、明細書における「含む」、「包含」という用語、またはほかの任意の変形は、非排他性の「包含」を意図的にカバーすることにより、一連の要素を含むプロセス、方法、物品または装置はそれらの要素を含むだけでなく、明確にリストされていない他の要素も含み、またはそのようなプロセス、方法、物品、または装置に固有の要素も含むようになる。それ以上の制限がない限り、「を一つ含む…」という文句によって限定された要素は、この要素を含むプロセス、方法、物品、または装置から排除されず、別の同一の要素も存在する。
【０２６５】
以上の実施方式の説明によれば、当業者が明確に理解すべきことは、上記実施例方法が、ソフトウェアと必要な共通のハードウェアプラットフォームと組み合わせて実現され、当然ながら、代わりにハードウェアで実現されてもよいが、多くの場合に、前者がより良い実施方式である。そのような理解に基づいて、本開示の技術案は、本質的には、または先行技術に寄与する部分は、ソフトウェア製品の形で実施できる。このコンピュータソフトウェア製品は、一つの記憶媒体（ＲＯＭ／ＲＡＭ、磁気ディスク、または光ディスクなど）に記憶され、一台の端末（携帯電話、コンピューター、サーバー、エアコン、またはネットワーク機器などであってよい）が本開示の各実施例に記載された方法を実行するようにいくつかの指令が含まれている。
【０２６６】
以上は、添付の図面を結合して本開示の実施例を説明したが、本開示は、上記の具体的な実施方式に限定されない。上記の具体的な実施方式は、単なる例示であり、限定的ではない。当業者は、本開示の示唆で、本開示の主旨および特許請求の範囲の保護範囲から逸脱することなく、他の多くの方式を開発することができ、そのようなすべての方式は、本開示の保護範囲に含まれる。
【手続補正２】
【補正対象書類名】特許請求の範囲
【補正対象項目名】全文
【補正方法】変更
【補正の内容】
【特許請求の範囲】
【請求項１】
端末に用いられるリソース配置方法であって、
半永続的リソースのリソース配置情報を取得し、前記リソース配置情報は、複数の伝送キャリアの識別子情報と、前記伝送キャリアそれぞれの識別子情報に対応するリソース割り当て情報とを含むこと、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定すること、を含むリソース配置方法。
【請求項２】
前記リソース割り当て情報は、リソース周期を含む、請求項１に記載のリソース配置方法。
【請求項３】
前記リソース割り当て情報はさらに、リソース周期それぞれにおける前記伝送キャリアの半永続的リソースの割り当て情報と、前記伝送キャリアの半永続的リソースのＨＡＲＱプロセス数との少なくとも１つを含む、請求項２に記載のリソース配置方法。
【請求項４】
前記半永続的リソースのリソース配置情報に基づいて、前記伝送キャリアがリソース周期それぞれにおいて利用可能なリソース位置情報を決定することは、
ネットワーク機器から送信されたアクティブ化シグナリングが受信された場合、前記アクティブ化シグナリングに基づいて半永続的リソースの開始位置を決定し、前記リソース配置情報と前記半永続的リソースの開始位置に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む、請求項３に記載のリソース配置方法。
【請求項５】
前記リソース割り当て情報はさらに、リソース周期それぞれにおける前記伝送キャリアの半永続的リソースの割り当て情報と、前記伝送キャリアの半永続的リソースの時間ドメインのオフセット量と、前記伝送キャリアの半永続的リソースにおける時間ドメインリソースそれぞれの占める時間ドメインの長さとの少なくとも１つを含む、請求項２に記載のリソース配置方法。
【請求項６】
前記半永続的リソースのリソース配置情報に基づいて、前記伝送キャリアがリソース周期それぞれにおいて利用可能なリソース位置情報を決定することは、
前記半永続的リソースのリソース配置情報に基づいて、前記伝送キャリアがリソース周期それぞれにおいて開始で利用可能なリソース位置情報を決定すること、または、
前記リソース割り当て情報がリソース周期それぞれにおけるリソースの割り当て情報を含む場合、リソース周期それぞれにおける前記半永続的リソースの割り当て情報に基づいて、前記伝送キャリアがリソース周期それぞれにおいて利用可能なリソース位置情報を決定することを含む、請求項５に記載のリソース配置方法。
【請求項７】
リソース周期それぞれにおける前記伝送キャリアの半永続的リソースの割り当て情報は、リソース割り当ての開始位置情報、リソース割り当てビットマップｂｉｔｍａｐ、リソース割り当ての時間の長さ、リソース割り当て短周期の少なくとも１つを含み、
前記リソース割り当て短周期は、前記リソース周期よりも時間の長さが短くなる、請求項３または５に記載のリソース配置方法。
【請求項８】
リソース周期それぞれにおいて利用可能なＨＡＲＱプロセスが１つある場合、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、リソース周期、現在のタイムスロット番号、システムフレームあたりのタイムスロット数、半永続的リソースのＨＡＲＱプロセス数に基づいて、前記伝送キャリアそれぞれがリソース周期それぞれにおいて利用可能なＨＡＲＱプロセス番号を決定すること、または、
異なる伝送キャリアが同じＨＡＲＱエンティティーに対応し、且つ異なるＨＡＲＱプロセス番号に対応する場合、リソース周期、現在のタイムスロット番号、システムフレームあたりのタイムスロット数、半永続的リソースのＨＡＲＱプロセス数、およびＨＡＲＱプロセス識別子のオフセット量に基づいて、前記伝送キャリアそれぞれがリソース周期それぞれにおいて利用可能なＨＡＲＱプロセス番号を決定することを含む、請求項２に記載のリソース配置方法。
【請求項９】
前記ＨＡＲＱプロセス識別子のオフセット量は、伝送キャリアのＨＡＲＱプロセス識別子の開始番号、伝送キャリアのＨＡＲＱプロセス識別子の終了番号、および伝送キャリアのＨＡＲＱプロセス識別子の利用可能な番号の数の少なくとも１つを含む、請求項８に記載のリソース配置方法。
【請求項１０】
リソース周期それぞれにいて利用可能なＨＡＲＱプロセスが複数ある場合、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数、およびリソース周期それぞれにおけるＨＡＲＱプロセス数に基づいて、リソース周期それぞれにおける前記伝送キャリアの開始リソースのＨＡＲＱプロセス番号を決定し、リソース周期の番号とリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、リソース周期それぞれにおけるＨＡＲＱプロセス数とＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定することを含む、請求項２に記載のリソース配置方法。
【請求項１１】
リソース周期それぞれにいて利用可能なＨＡＲＱプロセスが複数ある場合、前記半永続的リソースのリソース配置情報に基づいて、前記伝送キャリアがリソース周期それぞれにおいて利用可能なＨＡＲＱプロセス番号を決定することは、
異なる伝送キャリアが異なるＨＡＲＱエンティティーに対応する場合、現在のタイムスロット番号、システムフレームあたりのタイムスロット数、リソース周期、半永続的リソースのＨＡＲＱプロセス数に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定すること、または、
異なる伝送キャリアが同じＨＡＲＱエンティティーに対応し、且つ異なるＨＡＲＱプロセス番号に対応する場合、現在のタイムスロット番号、システムフレームあたりのタイムスロット数、リソース周期、半永続的リソースのＨＡＲＱプロセス数、ＨＡＲＱプロセス識別子のオフセット量に基づいて、リソース周期それぞれにおける前記伝送キャリアの開始リソースのＨＡＲＱプロセス番号を決定し、リソース周期の番号およびリソース番号に基づいて、リソース周期それぞれにおける後続リソースのＨＡＲＱプロセス番号を決定することを含む、請求項２に記載のリソース配置方法。
【請求項１２】
前記伝送キャリアの識別子情報は、伝送キャリア識別子、伝送キャリアに対応するセル識別子、伝送キャリアに対応する周波数ビン識別子、伝送キャリアに対応する帯域幅部分ＢＷＰ識別子、伝送キャリアに対応する制御チャネル情報識別子、伝送キャリアに対応するＭＡＣエンティティー識別子のうちの少なくとも１つを含む、請求項１に記載のリソース配置方法。
【請求項１３】
前記伝送キャリア識別子は、同期信号ブロックＳＳＢ識別子、チャネル状態情報参考信号ＣＳＩ-ＲＳ識別子、および参考信号に対応するポート番号識別子のうちの少なくとも１つを含み、前記参考信号は、ＳＳＢおよび／またはＣＳＩ-ＲＳを含む、請求項１２に記載のリソース配置方法。
【請求項１４】
前記伝送キャリアに対応する制御チャネル識別子は、制御チャネルタイプ識別子、制御チャネルのリソース位置識別子、制御チャネルの参考信号識別子、および制御チャネルの参考信号に対応するポート番号識別子のうちの少なくとも１つを含む、請求項１２に記載のリソース配置方法。
【請求項１５】
ネットワーク機器に用いられるリソース配置方法であって、
半永続的リソースのリソース配置情報を送信し、前記リソース配置情報は、複数の伝送キャリアの識別子情報と、前記伝送キャリアそれぞれの識別子情報に対応するリソース割り当て情報とを含む、リソース配置方法。
【請求項１６】
半永続的リソースのリソース配置情報を取得するためのものであり、前記リソース配置情報は、複数の伝送キャリアの識別子情報と、前記伝送キャリアそれぞれの識別子情報に対応するリソース割り当て情報とを含む取得モジュール、および、
前記半永続的リソースのリソース配置情報に基づいて、前記伝送キャリアがリソース周期それぞれにおいて利用可能なリソース位置情報と、リソース周期それぞれにおいて利用可能なハイブリッド自動再送要求ＨＡＲＱプロセス番号の少なくとも１つを決定するための決定モジュールを含む、端末。
【請求項１７】
半永続的リソースのリソース配置情報を送信するためのものであり、前記リソース配置情報は、複数の伝送キャリアの識別子情報と、前記伝送キャリアそれぞれの識別子情報に対応するリソース割り当て情報を含む送信モジュールを具備する、ネットワーク機器。
【国際調査報告】
2022500950.tif 000034
2022500950.tif 000035
2022500950.tif 000036
2022500950.tif 000037